(57)【要約】  【課題】複数の誘導手段（釘等）の配置が所定の配置であるか否かを確認可能にした遊技機用配置確認手段及び遊技機を提供する。  【解決手段】遊技機用配置確認手段であるゲージボード(130) は、遊技機(1) の遊技盤(4) に取り付けられた複数の誘導手段である釘(10)の配置が所定の配置であるか否かを確認可能なものであり、複数の釘(10)の前側に配置可能な本体部材であるゲージ本体(131) と、複数の釘(10)を視認可能に且つ複数の釘(10)の所定の配置に対応するように設けられた複数の指標部である釘視認孔(132) とを有し、遊技機(1) は、このゲージボード(130) を所定位置に配置可能なように、ゲージボード(130) を着脱可能に取り付ける取付手段(140) と、ゲージボード(130) が所定位置に配置されているか否かを判別可能な判別手段(150) とを有する。【選択図】  図２４
2018000532.tif 000002
【特許請求の範囲】
【請求項１】
遊技機の遊技盤に取り付けられた複数の誘導手段の配置が所定の配置であるか否かを確認可能な遊技機用配置確認手段であって、
前記複数の誘導手段の前側に配置可能な本体部材と、
前記本体部材に、前記複数の誘導手段を視認可能に且つ前記所定の配置に対応するように設けられた複数の指標部と、
を備えたことを特徴とする遊技機用配置確認手段。
【請求項２】
請求項１の遊技機用配置確認手段を所定位置に配置可能なように、前記遊技機用配置確認手段を着脱可能に取り付ける取付手段を設けたことを特徴とする遊技機。
【発明の詳細な説明】
【技術分野】
【０００１】
本発明は遊技機用配置確認手段及び遊技機に関し、特に、遊技盤に取り付けられた複数の誘導手段（釘等）の配置が所定の配置であるか否かを確認可能にしたものである。
【背景技術】
【０００２】
従来、パチンコ遊技機に代表される遊技機においては、遊技盤に複数の釘（障害釘）と各種入賞口（始動口、大入賞口等）が取り付けられ、遊技者は、発射ハンドルを操作して、これらの釘及び入賞口を有する遊技領域に複数の遊技球を順次発射させ、その遊技領域を流下する多くの遊技球が入賞口に入賞することを期待して遊技を行うことができる。
【０００３】
遊技領域を流下する複数の遊技球は、夫々その流下途中で幾つかの釘に繰り返し接触（衝突）し、減速されたり方向変換されたりして、こうした釘による誘導によって入賞口に入賞しない、或いは入賞することが可能になる。このように、複数の釘は遊技領域における遊技球の流下を制御するものとなり、その中でも遊技球が入賞口に入賞し易いか否かが決められる命釘等の主要な釘は、遊技機の性能において重要な役割を果たす。
【０００４】
ここで、遊技ホールに設置された遊技機の複数の釘の配置が、同遊技機の出荷時（製造時）の複数の釘の配置と異なっていると、釘が当初の状態から故意に曲げられている（不正な改造が行われている）虞があり、特にその曲げられた釘が命釘等の主要な釘であると、当該遊技機の所期の性能（出玉率等）が得られない虞がある。尚、遊技盤に対して、その遊技盤に転写された絵柄のズレを確認するために、遊技盤にズレ確認用の印（穴）を形成した技術（特許文献１参照）が公知である。
【先行技術文献】
【特許文献】
【０００５】
【特許文献１】特開２０１４−２８２２０号公報
【発明の概要】
【発明が解決しようとする課題】
【０００６】
従来の遊技機では、遊技盤に取り付けられた複数の釘の配置が所定の配置であるかを確認することが難しいという課題がある。
本発明の目的は、複数の誘導手段（釘等）の配置が所定の配置であるか否かを確認可能にした遊技機用配置確認手段及び遊技機を提供することである。
【課題を解決するための手段】
【０００７】
第１の発明（遊技機用配置確認手段(130) ）は、遊技機(1) の遊技盤(4) に取り付けられた複数の誘導手段(10)の配置が所定の配置であるか否かを確認可能な遊技機用配置確認手段(130) であって、前記複数の誘導手段(10)の前側に配置可能な本体部材(131) と、前記本体部材(131) に、前記複数の誘導手段(10)を視認可能に且つ前記所定の配置に対応するように設けられた複数の指標部(132) とを備えたことを特徴とする。
【０００８】
第２の発明（遊技機(1) ）は、第１又は第２の発明の遊技機用配置確認手段(130) を所定位置に配置可能なように、前記遊技機用配置確認手段(130) を着脱可能に取り付ける取付手段(140) を設けたことを特徴とする。
【０００９】
第１の発明（遊技機用配置確認手段(130) ）は、更に、前記遊技機(1) に着脱可能に取り付けられる構成にしてもよい。第２の発明（遊技機(1) ）は、更に、第１の発明の遊技機用配置確認手段(130) が所定位置に配置されているか否かを判別可能な判別手段(150) を設けた構成にしてもよい。
【発明の効果】
【００１０】
本発明によれば、遊技盤に取り付けられた複数の誘導手段の配置が所定の配置であるか否かを確認することができる。
【図面の簡単な説明】
【００１１】
【図１】本発明の実施例１の遊技機の斜視図である。
【図２】開閉扉が開けられた遊技機と封印部材の斜視図である。
【図３】開閉扉が開けられた遊技機の正面図である。
【図４】遊技機の遊技盤の正面図である。
【図５】遊技盤を有する遊技盤構造体の後側からの斜視図である。
【図６】図４のVI−VI線断面図である。
【図７】遊技盤構造体と封印部材の側面図である。
【図８】遊技盤と封印部材の要部の断面図である。
【図９】（１）が遊技盤と一部の破断を介して取外された封印部材の要部の断面図であり、（２）が封印部材の脆弱部を含む要部の断面図である。
【図１０】図９相当図である。
【図１１】実施例２の封印部材の正面図である。
【図１２】実施例３の遊技盤構造体と封印部材の側面図である。
【図１３】封印部材の後側からの斜視図である。
【図１４】遊技盤と封印部材の要部の断面図である。
【図１５】図１４のXV矢視図である。
【図１６】（１）が遊技盤と一部の破断を介して取外された封印部材の要部の断面図であり、（２）が封印部材の脆弱部を含む要部の断面図である。
【図１７】実施例４の遊技盤と封印部材の要部の断面図である。
【図１８】図１７のXVIII −XVIII 線断面図である。
【図１９】遊技盤と一部の破断を介して取外された封印部材の要部の断面図である。
【図２０】実施例５の開閉扉が開けられたパチンコ遊技機とゲージボードの斜視図である。
【図２１】開閉扉が開けられたパチンコ遊技機の正面図である。
【図２２】パチンコ遊技機の遊技盤の正面図である。
【図２３】図２２のXXIV−XXIV線断面図である。
【図２４】ゲージボードの正面図である。
【図２５】図２４のXXV −XXV 線断面図である。
【図２６】図２４のXXVI−XXVI線断面図である。
【図２７】図２４のゲージボードを用いた釘の配置確認に関する図である。
【図２８】図２７相当図である。
【図２９】複数のパチンコ遊技機が設置された遊技ホールの平面図である。
【図３０】複数のゲージボードの正面図である。
【図３１】変形例に係る図３０相当図である。
【図３２】パチンコ遊技機の遊技盤の正面図である。
【図３３】別の変形例に係る図３０相当図である。
【図３４】実施例６のゲージボードの正面図である。
【図３５】図３４のXXXV−XXXV線断面図である。
【図３６】パチンコ遊技機の遊技盤の正面図である。
【図３７】実施例７のゲージボードの正面図である。
【図３８】図３７にＡで示す部分の拡大図である。
【図３９】変形例に係る図３８相当図である。
【図４０】実施例８のゲージボードの正面図である。
【図４１】図４０のゲージボードを用いた釘の配置確認に関する図である。
【図４２】図４１相当図である。
【図４３】実施例９のゲージボードの正面図である。
【図４４】図４３にＢで示す部分の拡大図である。
【図４５】実施例１０の開閉扉が開けられたパチンコ遊技機とゲージボードの斜視図である。
【図４６】パチンコ遊技機の開閉扉とゲージボードの背面図である。
【図４７】パチンコ遊技機の遊技盤の正面図である。
【図４８】ゲージボードの正面図である。
【図４９】図４８のXXXXVIIII −XXXXVIIII 線断面図である。
【図５０】パチンコ遊技機の開閉扉とゲージボードの断面図である。
【図５１】実施例１１のゲージボードの正面図である。
【図５２】パチンコ遊技機の開閉扉とゲージボードの背面図である。
【発明を実施するための形態】
【００１２】
以下、発明を実施するための形態について実施例に基づいて説明する。本実施例は、遊技盤に複数の釘が取り付けられたパチンコ遊技機、及びその遊技盤を有する遊技盤構造体に本発明を適用したものである。
【実施例１】
【００１３】
図１〜図３に示すように、遊技機１（パチンコ遊技機１）には、遊技ホールの島構造に取り付けられる外枠（図示略）に開閉枠２（内枠２）が開閉可能に装着され、この開閉枠２に開閉扉３が開閉可能に装着されている。開閉扉３に窓３ａが形成され、この窓３ａに透明なガラス３ｂが取り付けられている。開閉枠２の左端部に、開閉扉３の左端部がヒンジ機構３ｃを介して鉛直軸心回りに回動自在に支持され、開閉扉３の右端部に、開閉扉３を閉じた状態で開閉枠２に施錠するキーシリンダ３ｄが取り付けられている。
【００１４】
開閉枠２に合板製（又は合成樹脂製）の遊技盤４が装着され、開閉扉３が閉じられた状態で、開閉扉３のガスラ３ｂが遊技盤４と平行になり、遊技盤４を視認可能にその前側がガスラ３ｂにより覆われて、遊技盤４とガラス３ｂとの間に遊技球が流下可能な遊技領域４ａが形成され、開閉扉３が開けられると、遊技盤４（遊技領域４ａ）の前側が開放される。開閉枠２には、遊技盤４の下側に枠下部ベース２ａが設けられ、この枠下部ベース２ａに発射装置５が装着されている。
【００１５】
開閉扉３には、窓３ａの下側に遊技球を貯留する貯留皿６ａを有する皿ユニット６が設けられ、この皿ユニット６に演出ボタン７ａと十字キー７ｂとエンターボタン７ｃが装着され、皿ユニット６の右下側に発射ハンドル８が装着されている。
【００１６】
発射ハンドル８が回動操作されると、発射装置５の電動モータ（図示略）が駆動されて打撃槌（図示略）が作動し、貯留皿６ａから発射位置に導入された遊技球が打撃槌により打撃されて発射され、貯留皿６ａに複数の遊技球が貯留されている場合、複数の遊技球が約0.6 秒間隔で連続的に発射される。発射された遊技球は、遊技盤４に取り付けられたガイドレール９で案内され遊技領域４ａの上部に導入され、遊技領域４ａを流下する。
【００１７】
図２〜図４に示すように、遊技領域４ａには、複数の誘導手段である釘１０（障害釘１０）、各種入賞口である第１始動口１１、開閉式の第２始動口１２、ゲート１３、開閉式の大入賞口１４、及び複数の一般入賞口１５が、図示の配置で設けられ、これら複数の釘１０と、入賞口１１〜１５を形成する各種部材や装置が遊技盤４に取り付けられ、また、遊技盤４には、遊技領域４ａの下端に位置する排出口１６が形成されている。
【００１８】
遊技領域４ａを流下する遊技球が入賞口１１，１２，１４，１５の何れかに入賞すると、遊技球１個の入賞につき入賞口１１，１２，１４，１５毎に設定された数（数個〜10数個）の遊技球が賞球として貯留皿６ａに払出される。入賞口１１，１２，１４，１５の何れかに入賞した遊技球は、そこから遊技領域４ａの外部へ排出され、遊技領域４ａを流下する遊技球が入賞口１１，１２，１４，１５の何れにも入賞しないと、最終的に排出口１６から遊技領域４ａの外部へ排出される。
【００１９】
遊技球が第１，第２始動口１１，１２の何れかに入賞すると特別遊技抽選が行われ、その抽選で当選すると、大入賞口１４が開放する特別遊技が行われ、遊技球がゲート１３を通過すると補助遊技抽選が行われ、その抽選で当選すると、第２始動口１２が開放する補助遊技が行われる。遊技者は、遊技状態に応じて、特別遊技とその抽選、補助遊技とその抽選についてより有利になるように、発射ハンドル８を操作し発射装置５による遊技球の発射強度を変化させて遊技を行うことができる。
【００２０】
遊技盤４には、センタケース２０（センタ役物２０）、液晶表示器２１ａを有する液晶ユニット２１、及び可動役物装置２２が装着されている。センタケース２０は、そのセンタ枠体２０ａが遊技盤４に形成されたセンタ開口（図示略）に嵌合状に取り付けられ、そのセンタ枠体２０ａの下部には遊技球が転動するステージ２０ｂが形成されている。
【００２１】
センタケース２０には、遊技領域４ａのうちセンタ枠体２０ａの左側に位置する左遊技領域を流下する遊技球を導入してステージ２０ｂへ誘導することが可能なワープ通路２０ｃ（特殊通路２０ｃ）が設けられ、遊技球がステージ２０ｂを転動して、ステージ２０ｂの中央の落下誘導部２０ｄから落下すると、ステージ２０ｂの落下誘導部２０ｄ以外から落下する遊技球、及びステージ２０ｂを転動しない遊技球よりも第１始動口１１に入賞する可能性が高くなる。
【００２２】
液晶表示器２１ａは、その画面を遊技機１の前側からセンタ枠体２０ａの内側を通して視認可能に配置され、この液晶表示器２１ａには、主に特別遊技抽選の結果に基づいた遊技演出が表示され、可動役物装置２２は、特定の遊技演出の一環として作動し、これらの演出用装置２１，２２は、共に遊技の進行に伴う演出を実行する。
【００２３】
図５、図７に示すように、液晶ユニット２１は、液晶表示器２１ａ、制御装置２１ｂ、及び液晶ベース２１ｃを有し、液晶表示器２１ａの後面部に制御装置２１ｂが取り付けられ、液晶表示器２１ａが液晶ベース２１ｃに取り付けられ、液晶ベース２１ｃが遊技盤４にその後面側から取り付けられて、遊技盤４及び液晶ユニット２１（液晶表示器２１ａ、制御装置２１ｂ、液晶ベース２１ｃ）が一体化して遊技盤構造体２５を構成している。
【００２４】
図２、図３に示すように、遊技盤４を有する遊技盤構造体２５は、遊技機１の開閉枠２に着脱可能に装着され、そのために、開閉枠２には、遊技盤４の下部を載置状に支持する支持部２６、遊技盤４の左部を挟持状に保持する上下１対の保持部２７、及び遊技盤４の右部を挟持状に固定する上下１対のクランプ２８が設けられている。開閉扉３が開けられた状態で、各クランプ２８は操作により固定位置と解除位置とに切り換えられ、１対のクランプ２８が解除位置に切り換えられた状態で、開閉枠２にその前側から遊技盤構造体２５を着脱可能になる。
【００２５】
ここで、遊技盤構造体２５を開閉枠２に取り付ける場合には、１対のクランプ２８が解除位置に切り換えられた状態で、遊技盤構造体２５が開閉枠２にその前側から嵌め込まれ、そこで遊技盤４が支持部２６に支持され１対の保持部２７に保持されてから、最終的に１対のクランプ２８が固定位置に切り換えられ、これら１対のクランプ２８により遊技盤４が固定されて、遊技盤構造体２５の開閉枠２への取り付けが完了する。
【００２６】
遊技機１を遊技ホールに導入する場合、製造工場では、遊技機１の全体を製造して、つまり開閉枠２に遊技盤構造体２５を取り付けた状態で、遊技ホールに出荷し設置することができ、或いは、遊技ホールに遊技盤構造体２５を取り付け可能な開閉枠２が設置済みである場合（設置前に撤去する遊技機が、遊技機１と共用できる開閉枠２を有し、撤去する遊技機はその開閉枠２を残して、遊技盤構造体だけを取外して撤去する場合等）、製造工場では、遊技機１の遊技盤構造体２５だけを製造して遊技ホールに出荷し、遊技ホールにおいて設置済みの開閉枠２に遊技盤構造体２５を取り付けて設置することができる。
【００２７】
さて、図６に示すように、複数の釘１０は、夫々、先端が尖った後側部分が遊技盤４にその前側から圧入状に取り付けられ、遊技盤４の前側へ突出する部分が遊技球と接触（衝突）する部分となり、前端部にそれ以外の部分よりも大径の頭部１０ａを有し、開閉扉３が閉じられた状態で、複数の釘１０の頭部１０ａがガラス３ｂの後面（内面）に僅かな隙間を空けて近接する。
【００２８】
そして、遊技領域４ａを流下する複数の遊技球は、夫々その流下途中で幾つかの釘１０に繰り返し接触（衝突）し、減速されたり方向変換されたりして、こうした釘１０による誘導によって入賞口１１，１２，１４，１５の何れにも入賞しない、或いは入賞口１１，１２，１４，１５の何れかに入賞することが可能になる。
【００２９】
このように、複数の釘１０は遊技領域４ａにおける遊技球の流下を制御するものとなり、図４に示すように、その中でも遊技球が各入賞口１１〜１５に入賞し易いか否かが決められる命釘１０ａ〜１０ｅや、ワープ通路２０ｃに導入され易いか否かが決められる命釘１０ｆ等の主要な釘１０は、遊技機１の性能において重要な役割を果たす。
【００３０】
尚、複数の釘１０の中には、命釘１０ａ〜１０ｆ以外に、ガイドレール９から遊技領域４ａに導入された遊技球が最初に接触する天釘、遊技球を目的の位置へ誘導するために連なって配置された誘導釘等の連釘、１本１本の釘１０の間を遊技球が通り抜け得る間隔を空けて独立に配置されたバラ釘等がある。
【００３１】
ところで、製造工場では、複数の釘１０の配置が当該遊技機１の所期の遊技性能（出球率等）を発揮し得る所定の配置になるように、複数の釘１０が遊技盤４に、設計通りの位置に設計通りの角度（遊技盤４の盤面（前面）に対して略垂直になる角度）で取り付けられ、その状態の遊技機１又は遊技盤構造体２５が製造・出荷される。
【００３２】
しかし、遊技ホールに設置された遊技機１又は遊技盤構造体２５の複数の釘１０の配置が同遊技機１又は同遊技盤構造体２５の出荷・製造時の複数の釘１０の配置と異なっていると、つまり所定の配置でなくなっていると、釘１０が当初の状態から故意に曲げられ、不正な改造が行われている虞があり、特にその曲げられた釘１０が命釘１０ａ〜１０ｆ等の主要な釘１０であると、当該遊技機１の所期の性能が得られない虞がある。
【００３３】
こうした問題に着眼し、本実施例の遊技機１及び遊技盤構造体２５では、製造工場において、図７に示すように、遊技盤構造体２５の遊技盤４に封印部材３０が取り付けられ、その封印部材３０によって全ての複数の釘１０が封印され、つまり全ての複数の釘１０が外部から直接触れられないようになり、この遊技機１又は遊技盤構造体２５が出荷され、遊技ホールにおいて遊技盤４から封印部材３０が取外され、遊技機１又は遊技盤構造体２５の少なくとも出荷から設置までの間、釘１０が当初の状態から故意に曲げられ、不正な改造が行われるのを防止できるようにしている。
【００３４】
そのために、図２〜図４、図７〜図１０に示すように、遊技機１及び遊技盤構造体２５は、遊技盤４（遊技盤構造体２５）が遊技機１（開閉枠２）に装着された状態で全ての複数の釘１０を覆って封印可能であって、遊技盤４（遊技盤構造体２５）が遊技機１（開閉枠２）から取外された状態でも全ての複数の釘１０を覆って封印可能な封印手段である封印部材３０を、遊技盤４に取外し可能に取り付ける取付手段３５を有する。
【００３５】
また、封印部材３０を遊技盤４から一度取外すと、その封印部材３０を再び遊技盤４に取り付け不可能に、或いは取り付け難いようにするために、取付手段３５は、封印部材３０をその一部の破断（破損）を介して遊技盤４から取外し得るように、封印部材３０を遊技盤４に取り付け可能である。
【００３６】
先ず、封印部材３０について詳しく説明する。
図２、図７〜図１０に示すように、この封印部材３０は、遊技盤４に取り付けられた状態で全ての複数の釘１０の前側を覆う封印シート３１と、この封印シート３１に設けられて遊技盤４に取り付けられる複数（４つ）の封印側取付部３２とを有する。
【００３７】
封印シート３１は、透明（又は半透明、又は不透明）な合成樹脂製のシートからなり、遊技盤４よりも少し小さな略矩形の外形と、0.1mm 〜1mm 程度の厚みを有し、遊技盤４に取り付けられた状態で、遊技機１又は遊技盤構造体２５の出荷、搬送、設置の際には容易に破断しないが、その封印シート３１の一部が、封印シート３１を遊技盤４から取外す際に加わる外力で破断し得る強度を有する。尚、封印シート３１は、撓み難いものでも撓み易いものでもよい。
【００３８】
４つの封印側取付部３２は、遊技盤４に取り付けられる位置において、封印シート３１のうち遊技領域４ａの前側に位置しない（全ての複数の釘１０の前側に位置しない）部位であって、封印シート３１を安定的に支持し得る部位に、具体的には封印シート３１の４隅近傍部に後方突出状にブロック状に設けられ、これら４つの封印側取付部３２の平滑な後端面が、遊技盤４の前面に当接状に取り付けられる。
【００３９】
４つの封印側取付部３２は、封印シート３１と同様に、遊技盤４に取り付けられた状態で、遊技機１又は遊技盤構造体２５の出荷、搬送、設置の際には容易に破断しないが、その各封印側取付部３２の一部が、封印側取付部３２を遊技盤４から取外す際に加わる外力で破断し得る強度を有する。尚、４つの封印側取付部３２は、封印シート３１に一体形成されてもよいし、封印シート３１とは個別に成形された部材を、封印シート３１に接着剤やビス等で固定して設けられてもよい。
【００４０】
尚、封印側取付部３２の数を、４つ以外の複数（３つ或いは５つ等）としてもよいし、これら封印側取付部３２を設ける封印シート３１における部位を、図２等に示す部位以外の部位としてもよい。また、封印側取付部３２のサイズ・形状も種々変更可能である。
【００４１】
次に、遊技盤４の取付手段３５について詳しく説明する。
図３、図４、図７〜図１０に示すように、この取付手段３５は、封印部材３０の複数の封印側取付部３２に夫々対応する複数（４つ）の盤側取付部３６を有し、これら４つの盤側取付部３６は、遊技領域４ａにおける遊技球の流下の障害にならないように、遊技盤４の前面のうち遊技領域４ａが形成されない（全ての複数の釘１０が存在しない）部位に設けられている。
【００４２】
ここで、開閉扉３が閉じられているとき、４つの盤側取付部３６（或いはそのうちの少なくとも１つの盤側取付部３６）を、開閉扉３のガラス３ｂを通して視認できない部位、つまりは盤面のデザイン（盤面に印された絵柄等）を悪化させない部位に設けることが更に望ましく、本実施例でもそうなっている。
【００４３】
この取付手段３５によって、封印部材３０の４つの封印側取付部３２の後端面を、遊技盤４の前面の４つの盤側取付部３６に夫々比較的強力に固定（例えば、接着剤や粘着テープで接着、或いは、遊技盤４に螺合されるビス等で締結）して、封印部材３０を遊技盤４に取り付け、この状態で、封印部材３０の封印シート３１が全ての複数の釘１０の前側を覆うように、封印シート３１を配置することが可能になり、また、封印部材３０をその一部の破断を介して遊技盤４から取外すことが可能になる。
【００４４】
ところで、封印部材３０、及び遊技盤４の取付手段３５は、封印部材３０が遊技盤構造体２５の遊技盤４に取り付けられた状態で、その遊技盤構造体２５と共に、開閉扉３が開けられた開閉枠２に取り付けられるように、しかも、開閉枠２に取り付けられた後、開閉扉３が閉じられるように構成されている。
【００４５】
具体的に、封印部材３０を遊技盤構造体２５と共に開閉枠２に取り付ける際、封印部材３０が開閉枠２（１対の保持部２７、１対のクランプ２８等）に相互干渉しないようにしており、特に、遊技盤４の右上部を固定する上側のクランプ２８の作動スペースを確保するために、封印シート３１のうち上側のクランプ２８に対応する部位に切換部３１ａが形成されている。
【００４６】
更に、封印部材３０が遊技盤構造体２５と共に開閉枠２に取り付けられた後、開閉扉３が閉じられても、封印部材３０が開閉扉３と相互干渉しないようにしており、特に、封印シート３１は、前記のように、比較的薄い厚さに形成されているため、複数の釘１０と開閉扉３との間（封印シート３１の大部分は複数の釘１０とガラス３ｂとの間）に配置されることになる（図８参照）。
【００４７】
従って、製造工場において、遊技機１の全体を製造し、その遊技盤構造体２５に封印部材３０を取り付けて出荷する場合でも、封印部材３０を取り付けていない場合と同様に、開閉扉３を閉じて安定した状態で、出荷、搬送、設置することができる。また、製造工場において、遊技盤構造体２５だけを製造し、その遊技盤構造体２５に封印部材３０を取り付けて出荷する場合、遊技ホールにおいて、遊技盤構造体２５に封印部材３０を取り付けた状態のまま、遊技盤構造体２５を開閉枠２に取り付けることができる。
【００４８】
以上のように、製造工場において遊技盤構造体２５の遊技盤４に取り付けられた封印部材３０（図８参照）は、遊技ホールにおいて、次のように遊技盤４から取外される。
【００４９】
封印部材３０の封印シート３１をその端を持って前側へ引っ張ることで、図９（１）に示すように、封印部材３０の各封印側取付部３２は遊技盤４に取り付けられたまま、封印シート３１は、その４隅部分が４つの封印側取付部３２に取残されるように、その４隅部分の近傍部から破断されて、遊技領域４ａの前側（全ての複数の釘１０の前側）に位置する部分を含む大部分が遊技盤４から取外される。この封印シート３１の破断が円滑に確実に行われるために、図９（２）に示すように、封印シート３１の４隅部分の各々の近傍部に、その厚さを他の部分よりも薄くした脆弱部３１ｂを設けてもよい。
【００５０】
次に、４つの封印側取付部３２を夫々持って前側へ引っ張ることで、図１０（１）に示すように、各封印側取付部３２は、その後端部が遊技盤４に取残されるように、その後端部の近傍部から破断されて、その後端部以外の大部分が前記の取残された封印シート３１の４隅部分の各々と共に遊技盤４から取外される。この封印側取付部３２の破断が円滑に確実に行われるために、図１０（２）に示すように、各封印側取付部３２の後端部の近傍部に、その外周部に切り込みの溝を形成した脆弱部３２ａを設けてもよい。
【００５１】
尚、図９（１）のように、封印シート３１の大部分が遊技盤４から取外されると、その後、４つの封印側取付部３２及び封印シート３１の４隅部分は遊技盤４に取り付けられた状態にしておいてもよい。つまり、図１０（１）のような取外しは行わずに、４つの封印側取付部３２及び封印シート３１の４隅部分は、遊技盤４から取外されなくても、開閉扉３を閉じることができるし、その開閉扉３によって覆い隠されるものとすることができ、勿論遊技領域４ａにおける遊技球の流下に悪影響を与えるものでもないので問題はない。この場合、図１０（２）に示す脆弱部３２ａは不要になる。
【００５２】
或いは、図９（１）のような取外しは行わずに、つまり、封印シート３１の全部が遊技盤４に取り付けられた状態で、図１０（１）のように、４つの封印側取付部３２の大部分が夫々遊技盤４から取外されることで、これら封印側取付部３２の大部分と共に封印シート３１の全部が遊技盤４から取外されるようにしてもよい。この場合、図９（２）に示す脆弱部３１ｂは不要になる。
【００５３】
尚、図９（１）、図１０（１）のような取外しは行わずに、封印シート３１の全部が遊技盤４に取り付けられた状態で、４つの封印側取付部３２の全部が夫々遊技盤４から破断されずに取外される、つまり封印部材３０をその一部の破断を介さずに遊技盤４から取外し得るようにしてもよい。この場合、図９（２）に示す脆弱部３１ｂも図１０（２）に示す脆弱部３２ａも不要になる。
【００５４】
製造工場において、遊技機１の全体を製造し、その遊技盤構造体２５に封印部材３０を取り付けて出荷する場合でも、遊技機１を遊技ホールに設置した後、開閉扉３を開けて封印部材３０を遊技盤４から取外すことができ、また、製造工場において、遊技盤構造体２５だけを製造し、その遊技盤構造体２５に封印部材３０を取り付けて出荷する場合、遊技ホールにおいて、封印部材３０を遊技盤４から取外してから、遊技盤構造体２５を開閉枠２に取り付けることができ、或いは、封印部材３０を遊技盤４に取り付けた状態のまま、遊技盤構造体２５を開閉枠２に取り付け、その後、開閉扉３を開けて封印部材３０を遊技盤４から取外すことができる。
【００５５】
以上説明した遊技機１及び遊技盤構造体２５によれば、遊技盤４に取付手段３５を設け、この取付手段３５により、封印部材３０を遊技盤４に取外し可能に取り付けることができ、遊技機１又は遊技盤構造体２５を工場で製造して出荷してから遊技ホールに設置するまでの間、遊技盤４に取り付けられた封印部材３０により、全ての複数の釘１０を覆って封印することができるので、釘１０が当初の状態から故意に曲げられ、不正な改造が行われるのを防止することができる。
【００５６】
つまり、遊技機１又は遊技盤構造体２５の釘１０が当初の状態から故意に曲げられ、不正な改造が行われて、特にその曲げられた釘１０が命釘１０ａ〜１０ｆ等の主要な釘であると、当該遊技機１又は当該遊技盤構造体２５の所期の性能が得られない虞があるが、こうした課題を改善可能に対策を講じ得るものになる。
【００５７】
しかも、取付手段３５は、封印部材３０をその一部の破断を介して遊技盤４から取外し得るように、封印部材３０を遊技盤４に取り付け可能であるので、封印部材３０を遊技盤４から一度取外すと、その封印部材３０を再び遊技盤４に取り付け不可能に、或いは取り付け難いようにすることができ、依って、釘１０に対して不正な改造が行われ難いように、或いは不正な改造が行われても、封印部材３０の破断による痕跡から、不正な改造が行われたことを発見し易いようになる。
【００５８】
つまり、遊技ホールにおいて封印部材３０を遊技盤４から取外そうとする人、或いはその取外しに立ち会う人は、先ず、封印部材３０が遊技盤４に取り付けられているかを確認し、取り付けられていると、次に、封印部材３０の破断による痕跡がないかを確認し、痕跡がないと、それで以て釘１０に対して不正な改造が行われていないと証明し、封印部材３０を取外して、遊技機１又は遊技盤構造体２５を稼働可能な状態とすることができる。
【００５９】
一方、封印部材３０が遊技盤４に取り付けられていない、或いは取り付けられていても、封印部材３０の破断による痕跡があると、釘１０に対して不正な改造が行われていることを疑うことができ、この場合、改めて複数の釘１０の配置が所定の配置であるか否かを確認し、所定の配置でないと、複数の釘１０の配置が所定の配置になるように復元して、遊技機１又は遊技盤構造体２５を稼働可能な状態としたり、遊技機１又は遊技盤構造体２５を稼働させないように撤去したりすることができる。
【００６０】
尚、実施例１の封印部材３０を次のように部分的に変更可能である。
（１）封印部材３０は、全ての複数の釘１０を有する遊技領域４ａの略全体の前側を覆うものであるが、封印部材３０の外周と遊技盤４との間の隙間は覆われず外部へ露出した状態になる。従って、封印部材３０で遊技領域４ａの略全体の前側を覆っても、発射装置５側から遊技領域４ａの内部に至るガイドレール９により形成された球発射通路が、不正器具を遊技領域４ａ外から遊技領域４ａ内の釘１０へアクセス可能な空間となり得る。
【００６１】
そこで、封印部材３０が複数の釘１０を覆って封印可能に遊技盤４に取り付けられた状態で、ガイドレール９により形成された球発射通路を塞いで不正器具の前記アクセスを不可能にする塞ぎ部を、封印部材３０に一体的に設けておいてもよい。尚、この塞ぎ部は遊技盤４に着脱可能に取付けられるようにしてもよい。但し、封印部材３０を取外す際は、封印側取付部３２のように、破断によりその一部が遊技盤４に取残されるようにするのではなく、その塞ぎ部は全て遊技盤４から綺麗に取外されるものとする。そして、この場合、その塞ぎ部を複数（４つ）の封印側取付部３２の一部として兼用してもよい。
【００６２】
（２）封印部材３０の全周（又は略全周）を遊技盤４に着脱可能に取付け得るように、取付手段３５（封印側取付部３２、盤側取付部３６）を構成してもよい。これにより、ガイドレール９により形成された球発射通路が、不正器具を遊技領域４ａ外から遊技領域４ａ内の釘１０へアクセス可能な空間となる虞がなくなり、依って、前記の塞ぎ部を設ける必要性も無くなる。
【実施例２】
【００６３】
実施例２は、実施例１の封印部材３０の一部を変更したものであり、その他の構成は基本的に実施例１と同じである。尚、実施例１と基本的に同じものには同一の符号を付して説明する。
【００６４】
図１１に示すように、実施例２の封印部材３０Ａは、実施例１の封印部材３０と同様に、遊技盤４に取付手段３５により取外し可能に取り付けられ、全ての複数の釘１０を覆って封印可能なものであり、遊技盤４に取り付けられた状態で全ての複数の釘１０の前側を覆う封印シート３１Ａと、この封印シート３１Ａを支持して遊技盤４に取り付ける為の複数（４つ）の封印側取付部３２とを有する。
【００６５】
封印シート３１Ａは、合成樹脂製の透明シートからなり、実施例１の封印シート３１と同形同サイズに形成され、この封印シート３１Ａには、全ての複数の釘１０の所定の配置を示す表示３３が印され、この表示３３は、全ての複数の釘１０を視認可能に且つ全ての複数の釘１０の所定の配置に対応するように設けられた複数の指標部３３ａからなる。尚、封印シート３１Ａは、撓み難いものでも撓み易いものでもよい。
【００６６】
つまり、封印部材３０Ａは、その４つの封印側取付部３２が取付手段３５の４つの盤側取付部３６に夫々位置合わせされ、ここを所定位置として遊技盤４に取り付けられると、全ての複数の釘１０が所定の配置である場合、これら複数の釘１０の頭部１０ａと、封印シート３１Ａの複数の指標部３３ａとが夫々一致するように視認されるので、全ての複数の釘１０が所定の配置であると確認できる。
【００６７】
一方、少なくとも１つの釘１０が所定の配置でない場合、その釘１０の頭部１０ａと、封印シート３１Ａの対応する指標部３３ａとが一致しないように視認されるので、その釘１０が所定の配置でないと確認できる。依って、釘１０が当初の状態から故意に曲げられ、不正な改造が行われるのを抑止することができ、また、不正な改造が行われても、そのことに容易に気付くことができる。
【００６８】
尚、表示部３３として、全ての複数の釘１０に対応する複数の指標部３３ａを設ける必要はなく、一部の複数の釘１０（例えば、主要な命釘１０ａ〜１０ｆ）に夫々対応する複数の指標部３３ａのみを設けてもよい。尚、遊技盤４に対して封印部材３０Ａを所定位置に位置合わせするのを容易にするために、遊技盤４に４つの盤側取付部３６以外の位置決め部（例えば、封印部材３０Ａの一部が係合する係合部）を設けてもよい。
【実施例３】
【００６９】
実施例３は、実施例１の封印部材３０、及び遊技盤４の取付手段３５を変更したものであり、その他の構成は基本的に実施例１と同じである。
【００７０】
図１２、図１４〜図１６に示すように、本実施例の遊技盤構造体２５は、遊技盤４（遊技盤構造体２５）が遊技機１（開閉枠２）から取外された状態で全ての複数の釘１０を覆って封印可能な封印手段である合成樹脂製の封印部材４０を、遊技盤４に取外し可能に取り付ける取付手段４５を有し、その取付手段４５は、封印部材４０をその一部の破断（破損）を介して遊技盤４から取外し得るように、封印部材４０を遊技盤４に取り付け可能である。
【００７１】
図１２〜図１６に示すように、封印部材４０は、遊技盤４に取り付けられた状態で全ての複数の釘１０を略完全に密閉する透明（又は半透明、又は不透明）な封印ケース４１と、この封印ケース４１に設けられて遊技盤４に取り付けられる複数（８つ）の封印側取付部である係合爪４２、及び位置決め部４３を有する。
【００７２】
封印ケース４１は、遊技盤４よりも少しだけ大きな矩形の外形を有し、全ての複数の釘１０の前側を覆う厚さ数mm（1mm 〜3mm 程度）の前壁４１ａと、全ての複数の釘１０の上下両側及び左右両側を遊技盤４の外周に沿う位置において覆う厚さ数mm（1mm 〜3mm 程度）の断面矩形枠状の（４つの帯板部からなる）外周壁４１ｂとを有し、外周壁４１ｂに８つの係合爪４２と位置決め部４３が設けられている。
【００７３】
外周壁４１ｂには、その各帯板部に対して２つの係合爪４２が適当な間隔を空けて形成されて、合計８つの係合爪４２が形成されている。各係合爪４２は、遊技盤４に係合可能に、外周壁４１ｂから後方突出状に設けられ、更に、遊技盤４の対応する外周端面と直交する方向に弾性変形可能に、その前端が外周壁４１ｂに繋がるように設けられるとともに、外周壁４１ｂには、その長さ方向における各係合爪４２の両端側に１対の切込み４１ｃが形成されている。
【００７４】
各係合爪４２は、遊技盤４の外周端面に当接可能な内側面部４２ａと、この内側面部４２ａの後端側に形成されて、遊技盤４の外周側後面に係合可能な係合部４２ｂと、この係合部４２ｂの後端側に形成されて、その後側ほど係合爪４２の外側面側に位置するように傾斜するテーパ部４２ｃとを有する。
【００７５】
尚、係合爪４２の数を、８つ以外の複数（４つ或いは６つ等）としてもよいし、これら係合爪４２を設ける封印ケース４１における部位を、図１３等に示す部位以外の部位としてもよい。また、係合爪４２のサイズ・形状も種々変更可能である。
【００７６】
位置決め部４３は、遊技盤４の外周側前面に係合可能に、外周壁４１ｂの内側面部に８つの係合爪４２を除いて略環状に形成され、この位置決め部４３が遊技盤４の外周側前面に係合した状態で、８つの係合爪４２の内側面部４２ａが遊技盤４の外周端面に当接し、８つの係合爪４２の係合部４２ｂが遊技盤４の外周側後面に係合することが可能になる。
【００７７】
尚、位置決め部４３については、外周壁４１ｂの内側面部に略環状に形成する必要はなく、適当な複数部位に複数設けてもよい。また、８つの係合爪４２（或いはそのうちの複数の係合爪４２）の内側面部４２ａに、夫々位置決め部４３に対応する複数の位置決め部を設けてもよい。
【００７８】
図１２、図１４〜図１６に示すように、遊技盤４の取付手段４５は、封印部材４０の複数の係合爪４２に夫々対応する複数（８つ）の盤側取付部４６を有し、即ち、８つの盤側取付部４６は、遊技盤４の外周部とその近傍部により形成され、これら８つの盤側取付部４６に、８つの係合爪４２が夫々着脱可能に取り付けられ、この取付手段４５によって、封印部材４０をその一部の破断を介して遊技盤４から取外すことが可能になる。
【００７９】
この封印部材４０、及び遊技盤４の取付手段４５は、封印部材４０が遊技盤構造体２５の遊技盤４に取り付けられた状態で、その遊技盤構造体２５と共に開閉枠２に取り付けられないため、製造工場において、遊技盤構造体２５だけを製造し、その遊技盤構造体２５に封印部材４０を取り付けて出荷し、遊技ホールにおいて、遊技盤構造体２５から封印部材４０を取り外し、その遊技盤構造体２５を開閉枠２に取り付ける場合に適用される。
【００８０】
ここで、製造工場において、封印部材４０は次のように遊技盤構造体２５の遊技盤４に取り付けられる。
【００８１】
封印部材４０を遊技盤４の前側に配置し、これら封印部材４０と遊技盤４の両外周部を略一致させ、封印部材４０の８つの係合爪４２のテーパ部４２ｃを遊技盤４の外周前端部に当接させて、封印部材４０を遊技盤４（後側）に押し込んでいく。すると、各係合爪４２は、先ず、テーパ部４２ｃが遊技盤４の外周前端部に押されて、遊技盤４の外周端面から離れる側へ弾性変形し、その後も、封印部材４０を遊技盤４（後側）に押し込んでいくと、外周壁４１ｂの後部が遊技盤４の外周部に外嵌され、最終的に、封印部材４０の位置決め部４３が遊技盤４の外周側前面に係合する。
【００８２】
封印部材４０の位置決め部４３が遊技盤４の外周側前面に略係合すると、各係合爪４２は、係合部４２ｂが遊技盤４の外周端面をその後側から前側へと乗り越えた状態となって、弾性変形が解除されて元の形状に復帰し、これにより、内側面部４２ａが遊技盤４の外周端面に当接し、係合部４２ｂが遊技盤４の外周側後面に係合して、封印部材４０が遊技盤４に取り付けられる（図１４参照）。
【００８３】
以上のように、製造工場において遊技盤構造体２５の遊技盤４に取り付けられた封印部材４０は、遊技ホールにおいて、次のように遊技盤４から取外される。
【００８４】
封印部材４０の複数の係合爪４２（８つ全て或いはその幾つかの係合爪４２）を、夫々持って又は何らかの工具（ドライバー等）を用いて、遊技盤４の外周端面から離れる側へ折り返すようにすることで、或いは、封印部材４０の封印ケース４１を持って強引に前側へ引っ張ることで、図１６（１）に示すように、各係合爪４２が破断され封印ケース４１から分離されて、封印部材４０が遊技盤４に取外される。尚、この係合爪４１の破断が円滑に確実に行われるために、図１６（２）に示すように、各係合爪４２に、その厚さを他の部分よりも薄くした脆弱部４２ｄを設けてもよい。
【００８５】
尚、図１６（１）のような取外しは行わずに、８つの係合爪４２が夫々遊技盤４から破断されずに取外される、つまり封印部材４０をその一部の破断を介さずに遊技盤４から取外し得るようにしてもよい。この場合、図１６（２）に示す脆弱部４２ｄは不要になる。
【００８６】
この遊技盤構造体２５によれば、実施例１と同様に、遊技盤４に取付手段４５を設け、この取付手段４５により、封印部材４０を遊技盤４に取外し可能に取り付けることができ、遊技盤構造体２５を工場で製造して出荷してから遊技ホールに設置するまでの間、遊技盤４に取り付けられた封印部材４０により、全ての複数の釘１０を覆って封印することができるので、釘１０が当初の状態から故意に曲げられ、不正な改造が行われるのを防止することができる。
【００８７】
しかも、取付手段４５は、封印部材４０をその一部の破断を介して遊技盤４から取外し得るように、封印部材４０を遊技盤４に取り付け可能であるので、封印部材４０を遊技盤４から一度取外すと、その封印部材４０を再び遊技盤４に取り付け不可能に、或いは取り付け難いようにすることができ、依って、釘１０に対して不正な改造が行われ難いように、或いは不正な改造が行われても、封印部材４０の破断による痕跡から、不正な改造が行われたことを発見し易いようになる。
【実施例４】
【００８８】
実施例４は、実施例３の封印部材４０、及び遊技盤４の取付手段４５を変更したものであり、その他の構成は基本的に実施例３と同じである。
【００８９】
図１７〜図１９に示すように、本実施例の遊技盤構造体２５は、遊技盤４（遊技盤構造体２５）が遊技機１（開閉枠２）から取外された状態で全ての複数の釘１０を覆って封印可能な封印手段である合成樹脂製の封印部材４０Ａを、遊技盤４に取外し可能に取り付ける取付手段４５Ａを有し、その取付手段４５Ａは、封印部材４０Ａをその一部の破断（破損）を介して遊技盤４から取外し得るように、封印部材４０Ａを遊技盤４に取り付け可能である。
【００９０】
封印部材４０Ａは、遊技盤４に取り付けられた状態で全ての複数の釘１０を完全に密閉する透明（又は半透明、又は不透明）な封印ケース４１Ａと、この封印ケース４１Ａに設けられて遊技盤４に取り付けられる複数の封印側取付部４２Ａを有する。
【００９１】
封印ケース４１Ａは、実施例３の前壁４１ａと同様の前壁４１Ａａと、実施例３の外周壁４１ｂを部分的に変更した（実施例３のような切込み４１ｃ、係合爪４２、位置決め部４３は形成されていない）断面矩形枠状の（４つの帯板部からなる）外周壁４１Ａｂとを有し、外周壁４１Ａｂに８つの封印側取付部４２Ａが設けられている。
【００９２】
外周壁４１ｂには、例えば、外周壁４１Ａｂの各帯板部に対して２つの封印側取付部４２Ａが適当な間隔を空けて形成されて、合計８つの封印側取付部４２Ａが形成されている。各封印側取付部４２Ａは、遊技盤４の外周側前面に当接可能に、外周壁４１ｂの後端近傍における内周面部から内方へ突出状に設けられている。
【００９３】
尚、封印側取付部４２Ａの数を、８つ以外の複数（４つ或いは６つ等）としてもよいし、これら封印側取付部４２Ａを設ける封印ケース４１Ａにおける部位を、種々の部位とすることが可能であり、また、封印側取付部４２Ａのサイズ・形状も種々変更可能である。
【００９４】
遊技盤４の取付手段４５Ａは、封印部材４０Ａの複数の封印側取付部４２Ａに夫々対応する複数の盤側取付部４６Ａを有し、即ち、複数の盤側取付部４６Ａは、遊技盤４の外周近傍における前面により形成され、この取付手段４５Ａによって、封印部材４０Ａの複数の封印側取付部４２Ａを、遊技盤４の前面の複数の盤側取付部４６Ａに夫々比較的強力に固定（例えば、接着剤や粘着テープで接着、或いは、遊技盤４に螺合されるビス等で締結）して、封印部材４０Ａを遊技盤４に取り付け、また、封印部材４０Ａをその一部の破断を介して遊技盤４から取外すことが可能になる。
【００９５】
具体的に封印部材４０Ａを遊技盤４から取外す場合、封印部材４０Ａの封印ケース４１Ａを持って強引に前側へ引っ張ることで、図１９に示すように、各封印側取付部４２Ａが、その基端側からが破断され封印ケース４１から分離されて、遊技盤４に取り残される。尚、この封印側取付部４２Ａの破断が円滑に確実に行われるために、図示省略するが、封印側取付部４２Ａに、その厚さを他の部分よりも薄くした脆弱部を設けてもよい。
【００９６】
尚、実施例１〜４において、場合によっては封印部材３０，３０Ａ，４０，４０Ａの形状を多少変更し、その封印部材３０，３０Ａ，４０，４０Ａを、遊技盤構造体２５の遊技盤４以外の部材（例えば、センタケース２０等、遊技盤４に固定された種々の部材）に取外し可能に取り付ける取付手段を設けてもよい。
【００９７】
また、封印部材３０，３０Ａ，４０，４０Ａが、全ての複数の釘１０を封印するのではなく、一部の複数の釘１０（例えば、１又は複数の命釘等の主要な釘１０を含む）だけを封印するものに構成してもよい。
【００９８】
次に、実施例５〜１１について説明する。尚、遊技機１においては、基本的に、実施例１〜４と同じ構成であり、その同じ構成のものについては同一の符号を付し、異なる構成のものについては異なる符号を付して説明する。
【実施例５】
【００９９】
パチンコ遊技機１の製造工場では、複数の釘１０の配置が当該遊技機１の所期の遊技性能（出球率等）を発揮し得る所定の配置になるように、複数の釘１０が遊技盤４に、設計通りの位置に設計通りの角度（遊技盤４の盤面（前面）に対して略垂直になる角度）で取り付けられ、その状態のパチンコ遊技機１が製造・出荷される。
【０１００】
しかし、その後、遊技ホールに設置されたパチンコ遊技機１の複数の釘１０の配置が同遊技機１の出荷・製造時の複数の釘１０の配置と異なっていると、つまり所定の配置でなくなっていると、釘１０が当初の状態から故意に曲げられている（不正な改造が行われている）虞があり、特にその曲げられた釘１０が命釘１０ａ〜１０ｆ等の主要な釘１０であると、当該遊技機１の所期の性能が得られない虞がある。
【０１０１】
こうした問題に着眼し、本発明のパチンコ遊技機１は、遊技盤４に取り付けられた複数の釘１０の配置が所定の配置である（例えば、パチンコ遊技機１の製造時（出荷時）の複数の釘１０の配置と同じである）か否かを、配置確認手段であるゲージボード１３０を用いて確認可能にしたものである。
【０１０２】
そのために、パチンコ遊技機１は、開閉扉３を開けた状態でゲージボード１３０を前記確認を可能にする確認位置（図２１、図２２に仮想線で示し図２６〜図２８に実線で示すゲージボード１３０の遊技盤４に対する所定位置）に配置可能なように、パチンコ遊技機１の遊技機構造体である開閉枠２、開閉扉３、遊技盤４、及び開閉扉３や遊技盤４に取り付けられた各種部材や装置（センタ役物２０等）のうちの遊技盤４にゲージボード１３０を着脱可能に取り付ける取付手段１４０が設けられ、更に、ゲージボード１３０が確認位置に配置されているか否かを判別可能な判別手段１５０が、パチンコ遊技機１の遊技盤構造体である遊技盤４、及び遊技盤４に取り付けられた各種部材や装置（センタ役物２０等）のうちの遊技盤４に設けられている。
【０１０３】
先ず、パチンコ遊技機１の遊技盤４に取り付けられた複数の釘１０の配置が所定の配置であるか否かを確認可能な遊技機用ゲージであるゲージボード１３０について説明する。このゲージボード１３０は、遊技盤４に取り付けられた全ての複数の釘１０の配置が所定の配置であるか否かを確認可能なものである。
【０１０４】
図２４〜図２８に示すように、ゲージボード１３０は、全ての複数の釘１０の前側に配置可能な不透明な合成樹脂製（又は木製、又はガラス製）の本体部材であるボードからなるゲージ本体１３１と、ゲージ本体１３１に全ての複数の釘１０を視認可能に且つ全ての複数の釘１０の所定の配置に対応するように形成された（つまり所定の配置を示す）複数の指標部である釘視認孔１３２（釘の視認孔１３２）と、開閉扉３を開けた状態で当該ゲージボード１３０を確認位置に配置可能なように、遊技盤４にゲージ本体１３１を着脱可能に取り付ける為のゲージ側取付手段１３３と、当該ゲージボード１３０が確認位置に配置されているか否かを判別する為のゲージ側判別手段１３４とを備えている。
【０１０５】
ゲージ本体１３１は、正面視にて遊技盤４と略同じサイズに形成され（図２１、図２２に仮想線で示すゲージボード１３０を参照）、当該ゲージボード１３０が確認位置に配置されているときに、その後側に全ての複数の釘１０を位置させ得る外形を有し、また、平滑な前面及び後面と、数mm（例えば、4 〜6mm ）程度の厚みを有し、ゲージ側取付手段１３３により遊技盤４に取り付けられた状態で撓み難いように形成されている。
【０１０６】
複数の釘視認孔１３２は、確認位置に配置された当該ゲージボード１３０のゲージ本体１３１の前側から、全ての複数の釘１０を個別に視認して、その釘１０の配置が所定の配置であるか否かを確認可能にゲージ本体１３１に形成されている。各釘視認孔１３２は、釘１０の頭部１０ａとほぼ同じサイズの断面円形の孔からなり、対応する釘１０が所定の配置であるとき、その頭部１０の中心が孔の中心を通して視認可能に形成されている。尚、釘１０の頭部１０ａと略同じサイズ以外の（頭部１０ａよりも多少大きな或いは小さな）サイズの釘視認孔１３２としてもよし、断面円形以外の断面形状の釘視認孔１３２としてもよい。
【０１０７】
ゲージ側取付手段１３３は、パチンコ遊技機１の取付手段１４０と対応しており、ゲージ本体１３１に後方突出状に設けられた４つのボード支持部１３３ａを有し、これら４つのボード支持部１３３ａは、ゲージ本体１３１に一体形成されている。尚、ボード支持部１３３ａは、ゲージ本体１３１とは個別に成形された部材を、ゲージ本体１３１に接着剤やビス等の固定手段により固定して設けられてもよい。
【０１０８】
４つのボード支持部１３３ａは、当該ゲージボード１３０が確認位置に配置されているときに、ゲージ本体１３１のうち遊技領域４ａの前側に位置しない（つまり複数の釘視認孔１３２が形成されていない）部位であって、ゲージ本体１３１を遊技盤４に安定的に取り付け得る部位に設けられている。尚、ボード支持部１３３ａの数を、４つ以外の複数（例えば、３つ或いは５つ）としてもよいし、これらボード支持部１３３ａを設けるゲージ本体１３１における部位を、図２４に示す部位以外の部位としてもよい。尚、ボード支持部１３３ａのサイズ・形状についても種々変更可能である。
【０１０９】
４つのボード支持部１３３ａは、夫々、断面円形の大径ボス部１３３ｂと、大径ボス部１３３ｂから後方へ突出し且つ大径ボス部１３３ｂよりも小径の断面円形の小径ボス部１３３ｃとを有し、大径ボス部１３３ｂの後端部（小径ボス部１３３ｃの前端の周囲）に環状の段部１３３ｄが形成されている。４つのボード支持部１３３ａの小径ボス部１３３ｃがパチンコ遊技機１の取付手段１４０の４つの取付孔１４１に挿入され、４つのボード支持部１３３ａの段部１３３ｄが遊技盤４の前面に当接して、ゲージ本体１３１が遊技盤４に取り付けられる。
【０１１０】
４つのボード支持部１３３ａの大径ボス部１３３ｂの前後長が、遊技領域４ａの前後幅と略等しく、つまり、ゲージ本体１３１が遊技盤４に取り付けられると遊技盤４と平行に配置され、ゲージ本体１３１の後面が、開閉扉３が閉じられた状態におけるガラス３ｂの後面の位置と一致し、複数の釘１０の頭部１０ａがゲージ本体１３１の後面に僅かな隙間を空けて近接する。
【０１１１】
尚、ゲージ側取付手段１３３（４つのボード支持部１３３ａ（大径ボス部１３３ｂの前後長））は、図示省略するが、複数の釘１０の頭部１０からゲージ本体１３１がある程度離れるように、或いは、複数の釘１０の頭部１０ａの前端側一部が複数の釘視認孔１３２に遊嵌状に入り込むように、ゲージ本体１３１を遊技盤４に取り付け可能に構成されてもよい。
【０１１２】
ゲージ側判別手段１３４は、パチンコ遊技機１の判別手段１５０と対応しており、当該ゲージボード１３０が確認位置に配置されているときに、パチンコ遊技機１の判別手段１５０の第２の基準部である盤側基準部１５１と合致する第１の基準部であるゲージ側基準部１３４ａであって、つまり当該ゲージボード１３０が確認位置からズレて配置されているときには盤側基準部１５１と合致しないゲージ側基準部１３４ａを有し、このゲージ側基準部１３４ａは、ゲージ本体１３１のうち遊技領域４ａの前側に位置しない（つまり複数の釘視認孔１３２が形成されていない）部位であって、４つのボード支持部１３３ａが形成されていない部位（本実施例ではゲージ本体１３１の右下部）に設けられている。
【０１１３】
ゲージ側基準部１３４ａは、ゲージ本体１３１に形成された適当な（比較的大きな）サイズの円形の基準開口１３４ｂと、ゲージ本体１３１の前面に印された（描かれた）鉛直基準線１３４ｃ、及び水平基準線１３４ｄとを有する。鉛直基準線１３４ｃは、基準開口１３４ｂの中心線と交差する鉛直線上においてゲージ本体１３１の前面のうち基準開口１３４ｂの上下両端側部分に形成され、水平基準線１３４ｄは、基準開口１３４ｂの中心線と交差する水平線上においてゲージ本体１３１の前面のうち基準開口１３４ｂの左右両端側部分に形成されている。
【０１１４】
次に、パチンコ遊技機１の取付手段１４０と判別手段１５０について説明する。
図２０〜図２２、図２６に示すように、取付手段１４０は、ゲージボード１３０の４つのボード支持部１３３ａの小径ボス部１３３ｃを挿入可能に遊技盤４に形成された４つの取付孔１４１を有し、これら４つの取付孔１４１は、遊技領域４ａにおける遊技球の流下の障害にならないように、遊技盤４のうち遊技領域４ａが形成されない部位に設けられている。
【０１１５】
ここで、開閉扉３が閉じられているとき、４つの取付孔１４１（或いはそのうちの少なくとも１つの取付孔１４１）を、開閉扉３のガラス３ｂを通して視認できない部位、つまりは盤面のデザイン（盤面に印された絵柄等）を悪化させない部位に設けることが更に望ましく、本実施例でもそうなっている。
【０１１６】
この取付手段１４０によって、ゲージボード１３０の４つのボード支持部１３３ａの小径ボス部１３３ｃを４つの取付孔１４１に挿入し、ゲージボード１３０の４つのボード支持部１３３ａの段部１３３ｄを遊技盤４の前面に当接させ、ゲージボード１３０（ゲージ本体１３１）を遊技盤４と平行にして且つ比較的接近させて、遊技盤４に取り付け可能になる。
【０１１７】
尚、小径ボス部１３３ｃが取付孔１４１に挿入され易いように、小径ボス部１３３ｃの後端外周部と、遊技盤４の取付孔１４１の前端外周部の少なくとも一方に、前記挿入を容易にするガイド機能が得られるテーパが形成されてもよい。尚、ゲージボード１３０のボード支持部１３３ａに応じて、取付孔１４１の数を、４つ以外の複数（例えば、３つ或いは５つ）としてもよいし、これら取付孔１４１を設ける遊技盤４における部位を、図２０〜図２２に示す部位以外の部位としてもよい。尚、取付孔１４１のサイズ・形状についても種々変更可能である。
【０１１８】
図２０〜図２２に示すように、判別手段１５０は、ゲージボード１３０が確認位置に配置されているときに、ゲージボード１３０のゲージ側基準部１３４ａと合致する盤側基準部１５１であって、つまり当該ゲージボード１３０が確認位置からズレて配置されているときにはゲージ側基準部１３４ａと合致しない盤側基準部１５１を有し、このボード側基準部１５１は、遊技盤４のうち遊技領域４ａが形成されない部位に設けられている。
【０１１９】
盤側基準部１５１は、遊技盤４の前面に印された（描かれた）円形基準線１５１ａ、鉛直基準線１５１ｂ、及び水平基準線１５１ｃを有する。円形基準線１５１ａは、ゲージ側基準部１３４ａの基準開口１３４ｂと略同じ、或いはゲージ側基準部１３４ａの基準開口１３４ｂよりも多少小さめのサイズに形成され、鉛直基準線１５１ｂは、円形基準線１５１ａの中心線と交差する鉛直線上において、また、水平基準線１５１ｃは、円形基準線１５１ａの中心線と交差する鉛直線上において、互いに円形基準線１５１ａの中心で交差する十字状に、且つ円形基準線１５１ａよりも外側へ多少はみ出すように形成されている。
【０１２０】
この判別手段１５０によって、確認作業者が目視により盤側基準部１５１とゲージ側基準部１３４ａとが合致するか否かを確認して、ゲージボード１３０が確認位置に配置されているか否かを判別可能になる。具体的には次のようにして判別を行う。
【０１２１】
取付手段１４０によりゲージボード１３０が遊技盤４に取り付けられた状態で、盤側基準部１５１の円形基準線１５１ａがゲージ側基準部１３４ａの基準開口１３４ｂと一致するように基準開口１３４ｂから見えているか、盤側基準部１５１の鉛直基準線１５１ｂ及び水平基準線１５１ｃが夫々ゲージ側基準部１３４ａの鉛直基準線１３４ｃ及び水平基準線１３４ｄと同一直線上に一致するように見えているかを確認し、全て一致するように見えていると、ゲージボード１３０が確認位置に配置されていると判別でき、そう見えていないと、ゲージボード１３０が確認位置に配置されていない、つまり確認位置からズレて配置されていると判別できる。
【０１２２】
ここで、通常は、取付手段１４０によりゲージボード１３０が遊技盤４に取り付けられた状態で、ゲージボード１３０が確認位置に配置されるように遊技盤４に対して位置決めされていることになる故、盤側基準部１５１とゲージ側基準部１３４ａとが合致するようになっているが、合致しないということは、遊技盤４、取付手段１４０、判別手段１５０、ゲージボード１３０、ゲージ側取付手段１３３、ゲージ側判別手段１３４の何れかに問題がある（例えば、製造誤差や取り付け誤差が生じている）可能性があり、つまり、判別手段１５０では、こうした問題の可能性があるか否かの判別を行い得るものにもなる。
【０１２３】
以上のように、ゲージボード１３０を遊技盤４に取り付けて、そのゲージボード１３０が確認位置に配置されていると判別することができると、この確認位置に配置されたゲージボード１３０を用いて、遊技盤４に取り付けられた複数の釘１０の配置が所定の配置であるか否かを間違いなく確認することが可能になる。
【０１２４】
この釘１０の配置確認では、確認作業者が、確認位置に配置されたゲージボード１３０の複数の釘視認孔１３２から、遊技盤４に取り付けられた複数の釘１０を視認し、複数の釘１０の配置が所定の配置であるか否かを確認する。その際、釘１０（釘視認孔１３２）毎に個別に１つ１つ視認して確認し、そこで、釘１０を視認する目線が、ゲージボード１３０に対して垂直（或いは略垂直）になるように（図２７（１）、図２８（１）参照）、視認対象の釘１０を変える毎に目の位置を変えて正確な確認を行うことが可能になる。
【０１２５】
そして、図２７（１）に示すように、視認対象の釘１０が所定の配置であると、確認作業者は、図２７（２）に示すように、ゲージボード１３０の対応する釘視認孔１３２から、その視認可能領域の大部分に視認対象の釘１０の頭部１０ａが位置するように、視認対象の釘１０を視認可能（例えば、視認対象の釘１０の頭部１０ａの中心頂部１０ｂ（比較的平らになっている微小円形部分）の多くを視認可能）になり、これにより、視認対象の釘１０が所定の配置であることを確認することができる。
【０１２６】
一方、図２８（１）に示すように、視認対象の釘１０が所定の配置でないと、確認作業者は、図２８（２）に示すように、ゲージボード１３０の対応する釘視認孔１３２から、その視認可能領域の大部分に遊技盤４の前面や視認対象の釘１０の頭部１０ａ以外の部分が位置するように、視認対象の釘１０を視認可能（例えば、視認対象の釘１０の頭部１０ａの中心頂部１０ｂの多くを視認不可能）になり、これにより、視認対象の釘１０が所定の配置でないことを確認することができる。
【０１２７】
尚、ゲージボード１３０のゲージ本体１３１はある程度の厚み（例えば、4 〜6mm ）を有するので、釘１０を視認しようとする目線が、ゲージボード１３０に対する垂直方向から比較的大きく傾いていると、視認対象の釘１０が、その釘１０に対応するゲージ本体１３１の釘視認孔１３２の内壁面によって遮蔽され見えない。つまり、ゲージ本体１３１のある程度の厚みは、釘１０を視認する目線が、ゲージボード１３０に対して垂直（或いは略垂直）になっているか否かを確認できる役割を果たす。
【０１２８】
こうして、複数の釘１０を１つ１つ視認し、その配置が所定の配置であるか否かを確認することができ、所定の配置でない釘１０が存在する場合には、その釘１０が何れかの釘か（何れの位置にあるものか、何れの役割を果たすものか（例えは、命釘であるか等））を特定することができる。
【０１２９】
このように、本発明のパチンコ遊技機１によれば、開閉扉３を開けて、ゲージボード１３０を遊技盤４に取り付け安定させて、ゲージボード１３０が確認位置に配置されていることを確認して、このゲージボード１３０を用いて複数の釘１０の配置が所定の配置であるか否かを確認し証明することができる。
【０１３０】
こうした釘１０の配置確認を終えると、ゲージボード１３０を遊技盤４から取り外すだけで、元の稼働させ得る状態のパチンコ遊技機１とすることができる。ここで、釘１０の配置が所定の配置でないことが確認されたパチンコ遊技機１については、釘１０の配置が所定の配置になるように復元して稼働させ得る状態にしたり、稼働させないように撤去したりすることができる。
【０１３１】
依って、遊技ホールに設置されたパチンコ遊技機１の複数の釘１０の配置が、同遊技機１の出荷時（製造時）の複数の釘１０の配置と異なっていると、釘１０が当初の状態から故意に曲げられている（不正な改造が行われている）虞があり、特にその曲げられた釘１０が命釘１０ａ〜１０ｆ等の主要な釘であると、当該パチンコ遊技機１の所期の性能が得られない虞があるが、こうした課題を改善可能に対策を講じ得るものになる。
【０１３２】
尚、ゲージボード１３０のゲージ本体１３１を、透明（又は半透明）の合成樹脂製（又はガラス製）のボードに構成し、この透明（又は半透明）のゲージ本体１３１に複数の釘視認孔１３２を形成してもよい。この場合、ゲージ側判別手段１３４において、ゲージ本体１３１に、基準開口１３４ｂが形成されずに、判別手段１５０と同様に、基準開口１３４ｂに代わる円形基準線が形成され（印され）、また、鉛直基準線１３４ｃ及び水平基準線１３４ｄが、この円形基準線の中心で交差する十字状に形成されてもよい。
【０１３３】
ところで、図２９に示すように、遊技ホールＨには複数の島構造Ｈａが設備され、これら島構造Ｈａに複数台のパチンコ遊技機Ｐが並設状に設置されている。そして、これらパチンコ遊技機Ｐの中に、複数台（例えば、１０台）の本発明のパチンコ遊技機１（本遊技機１）と、本遊技機１とは別機種となる複数台（例えば、３台）のパチンコ遊技機１-M（別遊技機１-M）と、本遊技機１及び別遊技機１-Mとは別機種となる複数台（例えば、３台）のパチンコ遊技機１-N（別遊技機１-N）とが含まれ、図示のように設置されている。
【０１３４】
複数の遊技機１，１-M，１-Nは、複数の釘の所定の配置が互いに異なり、本遊技機１において、その複数の釘１０の配置が所定の配置であるか否かを図３０（ａ）に示す本遊技機１用のゲージボード１３０（本ゲージボード１３０）を用いて確認可能であるのと同様に、別遊技機１-Mでも、その複数の釘の配置が所定の配置であるか否かを図３０（ｂ）に示す別遊技機１-M用のゲージボード１３０-M（別ゲージボード１３０-M）を用いて確認可能に、また、別遊技機１-Nでも、その複数の釘の配置が所定の配置であるか否かを図３０（ｃ）に示す別遊技機１-N用のゲージボード１３０-N（別ゲージボード１３０-N）を用いて確認可能になっている。
【０１３５】
そのために、別遊技機１-M，１-Nの各々にも、本遊技機１の取付手段１４０及び判別手段１５０と同機能を有する取付手段（図示略）及び判別手段（図示略）が設けられ、別ゲージボード１３０-M，１３０-Nの各々にも、本ゲージボード１３０のゲージ側取付手段１３３及びゲージ側判別手段１３４と同機能を有し、且つ別遊技機１-M，１-Nの各々の取付手段及び判別手段に対応するゲージ側取付手段（図示略）及びゲージ側判別手段１３４-M，１３４-Nが設けられている。
【０１３６】
尚、図３０（ａ）では、本ゲージボード１３０の複数の指標部（釘視認孔１３２）を図示省略している。尚、別ゲージボード１３０-M，１３０-Nの各々にも、複数の釘の所定の配置に対応する複数の指標部（釘視認孔）が設けられているが、図３０（ｂ）（ｃ）では、その複数の指標部を図示省略している。
【０１３７】
さて、本遊技機１において、本ゲージボード１３０と同様に、別ゲージボード１３０-M又は１３０-Nを着脱可能に取り付け得るものであると、複数の釘１０の配置が所定の配置であるか否かを確認する際に、本来なら本ゲージボード１３０を取り付けるところを、誤って別ゲージボード１３０-M又は１３０-Nを取り付けて、誤った確認を行ってしまう虞がある。
【０１３８】
例えば、本遊技機１の複数の釘１０の所定の配置と、別遊技機１-M又は１-Nの複数の釘の所定の配置とが殆ど変わらない（但し、少しは変わる）場合、その誤りに気付き難くなり、そして、その誤りに最後まで気付かなければ、釘１０が当初の状態から故意に曲げられていないのに曲げられている、或いはその反対で故意に曲げられているのに曲げられていないと誤認してしまう虞がある。
【０１３９】
そこで、本遊技機１では、判別手段１５０が、本ゲージボード１３０（当該遊技機用のゲージボード１３０）が用いられているか否かを判別可能なものでもあり、本ゲージボード１３０では、ゲージ側判別手段１３４が、本ゲージボード１３０が用いられているか否かを判別する為のものでもある。そして、判別手段１５０が、本ゲージボード１３０が用いられているか否かを判別可能にするために、図３０に示すように、本ゲージボード１３０のゲージ側判別手段１３４の形状（特に円形状）を、別ゲージボード１３０-M，１３０-Nのゲージ側判別手段１３４-M，１３４-Nの形状（特に四角形状，三角形状）と異ならせている。
【０１４０】
つまり、本遊技機１に、本ゲージボード１３０が取り付けられ、その本ゲージボード１３０のゲージ側判別手段１３４の基準部１３４ａと判別手段１５０の基準部１５１とが合致することで、本ゲージボード１３０が用いられていると判別することができる一方、別ゲージボード１３０-M又は１３０-Nが取り付けられ、その別ゲージボード１３０-M又は１３０-Nのゲージ側判別手段１３４-M又は１３４-Nの基準部１３４ａ-M又は１３４ａ-Nと判別手段１５０の基準部１５１とが合致しないことで、本ゲージボード１３０が用いられていないと判別することができる。
【０１４１】
ゲージボード１３０，１３０-M，１３０-Nのゲージ側判別手段１３４，１３４-M，１３４-Nの形状を互いに異ならせる、つまり本ゲージボード１３０のゲージ側判別手段１３４の形状を本遊技機１に固有の形状とすることで、本遊技機１の判別手段１５０によって、本ゲージボード１３０が用いられているか否かの判別を簡単に確実に行うことが可能になり、従って、本遊技機１の複数の釘１０の配置が所定の配置であるか否かを確認する際に、誤って別ゲージボード１３０-M又は１３０-Nを取り付けて、誤った確認を行ってしまうことを防止し、釘１０が当初の状態から故意に曲げられていないのに曲げられている、或いはその反対で故意に曲げられているのに曲げられていないと誤認してしまうことを防止することができる。
【０１４２】
ここで、本遊技機１において、判別手段１５０が、本ゲージボード１３０が用いられているか否かを判別可能にするために、図３１に示すように、本ゲージボード１３０のゲージ側判別手段１３４の配置を、別ゲージボード１３０-M，１３０-Nのゲージ側判別手段１３４-M，１３４-Nの配置と異ならせてもよい。ここで、ゲージ側判別手段１３４，１３４-M，１３４-Nの配置とは、本遊技機１にゲージボード１３０，１３０-M，１３０-Nが取り付けられた状態で、本遊技機１の判別手段１５０（基準部１５１）に対する配置に相当する。
【０１４３】
図３１に示す具体例では、ゲージ側判別手段１３４，１３４-M，１３４-Nの形状は同じにして、左右方向の配置を互いに異ならせている。ゲージボード１３０，１３０-M，１３０-Nのゲージ側判別手段１３４，１３４-M，１３４-Nの配置を互いに異ならせる、つまり本ゲージボード１３０のゲージ側判別手段１３４の配置を本遊技機１に固有の配置とすることで、前記同様に、本遊技機１の判別手段１５０によって、本ゲージボード１３０が用いられているか否かの判別を簡単に確実に行うことが可能になる。尚、ゲージボード１３０，１３０-M，１３０-Nのゲージ側判別手段１３４，１３４-M，１３４-Nの形状及び配置の両方を互いに異ならせてもよい。
【０１４４】
或いは、図３２に示すように、本遊技機１において、判別手段１５０とは別に、本ゲージボード１３０が用いられているか否かを判別可能な使用判別手段１６０を、所定の配置及びサイズ・形状（例えば、判別手段１５０の基準部１５１の右側に基準部１５１よも小さな円形状）の目印として別途設け、判別手段１５０については、ゲージボード１３０が確認位置に配置されているか否かを判別可能な機能のみを有するものにすることができる。
【０１４５】
一方、図３３（１）に示すように、本ゲージボード１３０においても、ゲージ側判別手段１３４とは別に、本ゲージボード１３０が用いられているか否かを判別する為のゲージ側使用判別手段１６１を、本遊技機１の使用判別手段１６０に対応する配置及びサイズ・形状の目印として別途設け、ゲージ側判別手段１３４については、ゲージボード１３０が確認位置に配置されているか否かを判別する為の機能のみを有するものにすることができる。
【０１４６】
依って、本遊技機１に本ゲージボード１３０が取り付けられると、本遊技機１の使用判別手段１６０（目印）と本ゲージボード１３０のゲージ側使用判別手段１６１（目印）とが合致し、それを視認できて本ゲージボード１３０が用いられていると判別することができる。同様に、別遊技機１-M，１-Nの各々にも、本遊技機１の使用判別手段１６０と同機能を有する使用判別手段（図示略）が設けられ、図３３（２）（３）に示すように、別ゲージボード１３０-M，１３０-Nの各々にも、本ゲージボード１３０のゲージ側使用判別手段１６１と同機能を有し、且つ別遊技機１-M，１-Nの各々の使用判別手段に対応するゲージ側使用判別手段１６１-M，１６１-Nが設けられている。
【０１４７】
そして、本遊技機１において、使用判別手段１６０が、本ゲージボード１３０が用いられているか否かを判別可能にするために、図３３に示すように、本ゲージボード１３０のゲージ側使用判別手段１６１の配置を、別ゲージボード１３０-M，１３０-Nのゲージ側使用判別手段１６１-M，１６１-Nの配置と異ならせている。図３３に示す具体例では、ゲージ側使用判別手段１６１，１６１-M，１６１-Nの形状は同じにして、左右方向の配置を互いに異ならせている。ここで、ゲージ側使用判別手段１６１，１６１-M，１６１-Nの配置とは、本遊技機１にゲージボード１３０，１３０-M，１３０-Nが取り付けられた状態で、本遊技機１の使用判別手段１６０に対する配置に相当する。
【０１４８】
つまり、本遊技機１に、本ゲージボード１３０が取り付けられ、その本ゲージボード１３０のゲージ側使用判別手段１６１と使用判別手段１６０とが合致することで、本ゲージボード１３０が用いられていると判別することができる一方、別ゲージボード１３０-M又は１３０-Nが取り付けられ、その別ゲージボード１３０-M又は１３０-Nのゲージ側使用判別手段１６１-M又は１６１-Nと使用判別手段１６０とが合致しないことで、本ゲージボード１３０が用いられていないと判別することができる。
【０１４９】
このように、ゲージボード１３０，１３０-M，１３０-Nのゲージ側使用判別手段１６１，１６１-M，１６１-Nの配置を互いに異ならせる、つまり本ゲージボード１３０のゲージ側使用判別手段１６１の配置を本遊技機１に固有の配置とすることで、本遊技機１の使用判別手段１６０によって、本ゲージボード１３０が用いられているか否かの判別を簡単に確実に行うことが可能になる。
【０１５０】
尚、ゲージボード１３０，１３０-M，１３０-Nのゲージ側使用判別手段１６１，１６１-M，１６１-Nの形状を互いに異ならせ、その場合には、ゲージボード１３０，１３０-M，１３０-Nのゲージ側使用判別手段１６１，１６１-M，１６１-Nの配置を同じにしても、本ゲージボード１３０のゲージ側使用判別手段１６１の形状を本遊技機１に固有の形状とすることで、前記同様に、本遊技機１の使用判別手段１６０によって、本ゲージボード１３０が用いられているか否かの判別を簡単に確実に行うことが可能になる。
【０１５１】
次に、実施例５を部分的に変更した実施例６〜１１について説明する。尚、実施例６〜１１において、前記実施例と基本的に同一の又は類似する（機能が同じ）構成については、同一の又は類似する符号を付して、適宜説明を省略する。
【実施例６】
【０１５２】
図３４、図３５に示すように、実施例６のゲージボード１３０Ａは、全ての複数の釘１０の配置ではなく、そのうちの一部の複数の釘１０の配置が所定の配置であるか否かを確認可能に構成したものである。本実施例における一部の複数の釘１０とは、センタ役物２０の下側にある複数の釘１０である。
【０１５３】
ゲージボード１３０Ａは、ゲージ本体１３１Ａ、複数の釘視認孔１３２、ゲージ側取付手段１３３Ａ、ゲージ側判別手段１３４を備えている。ゲージ本体１３１Ａは、実施例５のゲージ本体１３１の下側部分に相当するもの（サイズ）に形成され、このゲージ本体１３１Ａに、複数の釘視認孔１３２が一部の複数の釘１０の所定の配置に対応するように形成され、また、ゲージ側取付手段１３３Ａとゲージ側判別手段１３４が設けられている。
【０１５４】
ゲージ側取付手段１３３Ａは、パチンコ遊技機１Ａの遊技機構造体である開閉枠２、開閉扉３、遊技盤４、及び開閉扉３や遊技盤４に取り付けられた各種部材や装置（センタ役物２０Ａ等）のうちの遊技盤４とセンタ役物２０Ａ（センタ枠体２０Ａａの下部）にゲージ本体１３１Ａを着脱可能に取り付ける為のものである。ゲージ側判別手段１３４は、当該ゲージボード１３０Ａが確認位置に配置されているか否かを判別する為のものであり、また、本ゲージボード１３０Ａが用いられているか否かを判別する為のものでもある。尚、実施例５の変形例のように、本ゲージボード１３０Ａが用いられているか否かを判別する為のゲージ側使用判別手段を別途設けてもよい。
【０１５５】
ゲージ側取付手段１３３Ａにおいて、ゲージ本体１３１Ａを遊技盤４に取り付ける為のものとして２つのボード支持部１３３ａが設けられ、センタ役物２０Ａのセンタ枠体２０Ａａの下部に取り付ける為のものとして２つのボード支持部１３３Ａａが設けられ、これら２つのボード支持部１３３Ａａは、夫々、ボード支持部１３３ａと同様に、大径ボス部１３３ｂ、小径ボス部１３３ｃ、段部１３３ｄを有する。
【０１５６】
２つのボード支持部１３３ａの小径ボス部１３３ｃがパチンコ遊技機１Ａの取付手段１４０Ａの２つの取付孔１４１に挿入され、２つのボード支持部１３３ａの段部１３３ｄが遊技盤４の前面に当接して、また、２つのボード支持部１３３Ａａの小径ボス部１３３ｃがパチンコ遊技機１Ａの取付手段１４０Ａの２つの取付孔１４１Ａに挿入され、２つのボード支持部１３３Ａａの段部１３３ｄがセンタ枠体２０Ａａの下部の前面に当接して、ゲージ本体１３１Ａが遊技盤４とセンタ役物２０Ａに取り付けられる。
【０１５７】
図３５、図３６に示すように、実施例６のパチンコ遊技機１Ａにおいて、取付手段１４０Ａは、開閉扉３を開けた状態で遊技盤４とセンタ役物２０Ａ（センタ枠体２０Ａａの下部）にゲージボード１３０Ａを着脱可能に取り付けるものである。判別手段１５０は、ゲージボード１３０Ａが確認位置に配置されているか否かを判別可能なものであり、また、本ゲージボード１３０Ａが用いられているか否かを判別可能なものでもある。尚、実施例５の変形例のように、本ゲージボード１３０Ａが用いられているか否かを判別可能な使用判別手段を別途設けてもよい。
【０１５８】
取付手段１４０Ａは、ゲージボード１３０Ａの２つのボード支持部１３３ａの小径ボス部１３３ｃを挿入可能に遊技盤４に形成された２つの取付孔１４１と、ゲージボード１３０Ａの２つのボード支持部１３３Ａａの小径ボス部１３３ｃを挿入可能にセンタ枠体２０Ａａの下部に形成された２つの取付孔１４１Ａと有する。
【０１５９】
つまり、この取付手段１４０Ａによって、ゲージボード１３０Ａの２つのボード支持部１３３ａの小径ボス部１３３ｃを２つの取付孔１４１に挿入し、ゲージボード１３０Ａの２つのボード支持部１３３ａの段部１３３ｄを遊技盤４の前面に当接させ、また、ゲージボード１３０Ａの２つのボード支持部１３３Ａａの小径ボス部１３３ｃを２つの取付孔１４１Ａに挿入し、ゲージボード１３０Ａの２つのボード支持部１３３Ａａの段部１３３ｄをセンタ枠体２０Ａａの下部の前面に当接させ、ゲージボード１３０Ａ（ゲージ本体１３１Ａ）を遊技盤４と平行にして且つ比較的接近させて、遊技盤４とセンタ役物２０Ａに取り付け可能になる。
【０１６０】
尚、パチンコ遊技機１Ａの遊技盤４に対して、ゲージボード１３０Ａだけでなく、ゲージボード１３０Ａの代わりに実施例５のゲージボード１３０も取り付け可能にして、つまり、４つの取付孔１４１を形成しておく（図３６では、その上側２つの取付孔の符号１４１を付していないがそうなっている）ことで、ゲージボード１３０を用いて全ての複数の釘１０の配置が所定の配置であるか否かを確認することも、ゲージボード１３０Ａを用いて一部の複数の釘１０の配置が所定の配置であるか否かを確認することもでき、要するに必要に応じてゲージボード１３０，１３０Ａを使い分け可能になる。
【０１６１】
尚、ゲージボード１３０Ａにおいて、ゲージ本体１３１Ａが、実施例５のゲージ本体１３１と略同じサイズになるように大型に形成され、そのゲージ本体１３１Ａに、全ての複数の釘１０に対応する複数の釘視認孔１３２ではなく、一部の複数の釘１０に対応する複数の釘視認孔１３２だけが形成されてもよい。そうすると、ゲージ側取付手段１３３Ａ、取付手段１４０Ａを別途設ける必要がなくなり、実施例５のゲージ側取付手段１３３、取付手段１４０を利用して、ゲージ本体１３１Ａを遊技盤４に取り付け可能になる。
【０１６２】
尚、ゲージボード１３０Ａ（ゲージ本体１３１Ａ、複数の釘視認孔１３２、ゲージ側取付手段１３３Ａ、ゲージ側確認手段１３４）、及びパチンコ遊技機１Ａの取付手段１４０Ａ、確認手段１５０については、センタ役物２０の下側にある一部の複数の釘１０とは異なる一部の複数の釘１０が所定の配置であるか否かを確認可能に構成可能である。
【実施例７】
【０１６３】
図３７、図３８に示すように、実施例７のゲージボード１３０Ｂは、複数の釘１０の配置が所定の配置であるか否かを、これら複数の釘１０のうちの主要な１又は複数の釘１０（本実施例では、複数の命釘１０ａ〜１０ｆ）が判るようにして確認可能に構成したものであり、実施例５のゲージボード１３０を一部変更したものである。尚、実施例６のゲージボード１３０Ａを一部変更したものとしてもよい。
【０１６４】
このゲージボード１３０Ｂにおいては、ゲージ本体１３１Ｂの前面に、複数の釘視認孔１３２のうち主要な複数の釘１０（命釘１０ａ〜１０ｆ）に対応する（主要な複数の釘１０を視認可能な）複数の主要な釘視認孔１３２ａが、他の釘視認孔１３２と識別可能な目印１３５が印され（描かれ）ている。本実施例では、この目印１３５の具体例として、ゲージ本体１３１Ｂの前面には、主要な釘視認孔１３２ａの周囲に環状の識別マークが印されている。
【０１６５】
尚、目印１３５としては、上記の具体例に限定されるものではなく、種々の構成を採用可能である。例えば、図３９に示すように、目印１３５として、ゲージ本体１３１Ｂの前面には、主要な釘視認孔１３２ａの周囲に環状の識別マークと共に、この釘視認孔１３２が主要な釘視認孔１３２ａであることが判る文字「命釘」等の識別表記と、その識別表記の対象となる主要な釘視認孔１３２ａを指す矢印が印されてもよい。
【０１６６】
尚、この目印１３５については、全ての命釘１０ａ〜１０ｆに対応する複数の主要な釘視認孔１３２ａに付設する必要はなく、一部の１又は複数の命釘に対応する１又は複数の主要な釘視認孔１３２ａにのみ付設してもよいし、命釘以外の種類の主要な釘１０（例えば、前記の天釘又は連釘等）に対応する釘視認孔１３２に付設してもよい。目印１３５を２種類以上の主要な釘１０（例えば、命釘と連釘）に対応する複数の釘視認孔１３２に付設する場合、その種類を識別可能に異なる態様（例えば、１の種類に対しては青色のマーク、他の１の種類に対しては赤色のマーク）の目印１３５を設けてもよい。
【実施例８】
【０１６７】
図４０〜図４２に示すように、実施例８のゲージボード１３０Ｃは、全ての複数の釘１０の前側に配置可能な透明（又は半透明）な合成樹脂製（又はガラス製）の本体部材であるボードからなるゲージ本体１３１Ｃと、ゲージ本体１３１Ｃに全ての複数の釘１０を視認可能に且つ全ての複数の釘１０の所定の配置に対応するように印された（描かれた）た（所定の配置を示す）複数の指標部である釘配置表示１３２Ｃと、ゲージ側取付手段１３３、ゲージ側判別手段１３４Ｃを備えている。
【０１６８】
ゲージ本体１３１Ｃは、実施例５のゲージ本体１３１と同様に、正面視にて遊技盤４と略同じサイズに形成され、当該ゲージボード１３０Ｃが確認位置に配置されているときに、その後側に全ての複数の釘１０を位置させ得る外形を有し、また、平滑な前面及び後面と、数mm（例えば、4 〜6mm ）程度の厚みを有し、ゲージ側取付手段１３３により遊技盤４に取り付けられた状態で撓み難いように形成されている。
【０１６９】
複数の釘配置表示１３２Ｃは、確認位置に配置された当該ゲージボード１３０Ｃのゲージ本体１３１Ｃの前側から、全ての複数の釘１０を個別に視認して、その釘１０の配置が所定の配置であるか否かを確認可能にゲージ本体１３１Ｃの前面又は後面に印されている。各釘配置表示１３２Ｃは、縦線と横線を交差させた十字線かなり、対応する釘１０が所定の配置であるとき、その頭部１０の中心が十字線の交点を通して視認可能に印されている。尚、十字線とする以外に、前記交点に位置する単なる点や、前記交点を中心とする円（例えば、釘１０の頭部１０ａと略同じサイズの円）からなる釘配置表示１３２Ｃとしてもよい。
【０１７０】
ゲージ側判別手段１３４Ｃは、パチンコ遊技機１の判別手段１５０と対応しており、当該ゲージボード１３０Ｃが確認位置に配置されているときに、パチンコ遊技機１の判別手段１５０の第２の基準部である盤側基準部１５１と合致する第１の基準部であるゲージ側基準部１３４Ｃａであって、つまり当該ゲージボード１３０Ｃが確認位置からズレて配置されているときには盤側基準部１５１と合致しないゲージ側基準部１３４Ｃａを有する。
【０１７１】
このゲージ側基準部１３４Ｃａは、ゲージ本体１３１Ｃの前面又は後面に印された（描かれた）円形基準線１３４Ｃｂ、鉛直基準線１３４Ｃｃ、及び水平基準線１３４Ｃｄを有し、これら基準線１３４Ｃｂ，１３４Ｃｃ，１３４Ｃｄは、パチンコ遊技機１の盤側基準部１５１（円形基準線１５１ａ、鉛直基準線１５１ｂ、及び水平基準線１５１ｃ（図２１、図２２参照））と同様に、それらと略同サイズに形成されている。
【０１７２】
つまり、ゲージボード１３０Ｃが遊技盤４に取り付けられた状態で、盤側基準部１５１の円形基準線１５１ａとゲージ側基準部１３４Ｃａの円形基準線１３４Ｃｂが同一円上に一致するように見えているか、また、盤側基準部１５１の鉛直基準線１５１ｂ及び水平基準線１５１ｃとゲージ側基準部１３４Ｃａの鉛直基準線１３４Ｃｃ及び水平基準線１３４Ｃｄが夫々同一直線上に一致するように見えているかを確認し、全て一致するように見えていると、ゲージボード１３０Ｃが確認位置に配置されていると判別でき、そう見えていないと、ゲージボード１３０Ｃが確認位置に配置されていない（確認位置からズレて配置されている）と判別できる。
【０１７３】
また、実施例５と同様に、本遊技機１では、判別手段１５０が、本ゲージボード１３０Ｃが用いられているか否かを判別可能なものでもあり、本ゲージボード１３０Ｃでは、ゲージ側判別手段１３４Ｃが、本ゲージボード１３０Ｃが用いられているか否かを判別する為のものでもある。尚、実施例５の変形例のように、本ゲージボード１３０Ｃが用いられているか否かを判別可能な使用判別手段を別途設け、本ゲージボード１３０Ｃが用いられているか否かを判別する為のゲージ側使用判別手段を別途設けてもよい。
【０１７４】
ゲージボード１３０Ｃが確認位置に配置された状態で行う釘１０の配置確認では、図４１（１）に示すように、視認対象の釘１０が所定の配置であると、確認作業者は、図４１（２）に示すように、ゲージボード１３０Ｃの対応する釘配置表示１３２Ｃから、その十字線の交点を通して視認対象の釘１０の頭部１０ａを視認可能（例えば、視認対象の釘１０の頭部１０ａの中心頂部１０ｂを視認可能）になり、これにより、視認対象の釘１０が所定の配置であることを確認することができる。
【０１７５】
一方、図４２（１）に示すように、視認対象の釘１０が所定の配置でないと、確認作業者は、図４２（２）に示すように、ゲージボード１３０Ｃの対応する釘配置表示１３２Ｃから、その十字線の交点を通して視認対象の釘１０の頭部１０ａを視認不可能（例えば、視認対象の釘１０の頭部１０ａの中心頂部１０ｂを視認不可能）になり、これにより、視認対象の釘１０が所定の配置でないことを確認することができる。
【０１７６】
尚、図示省略するが、実施例６のゲージボード１３０Ａが一部の複数の釘１０の配置が所定の配置であるか否かを確認可能なものであるのと同じように、ゲージボード１３０Ｃにおいて、全ての複数の釘１０の配置ではなく、そのうちの一部の複数の釘１０の配置が所定の配置であるか否かを確認可能なものに構成してもよい。
【実施例９】
【０１７７】
図４３、図４４に示すように、実施例９のゲージボード１３０Ｄは、実施例８のゲージボード１３０Ｃを一部変更し、実施例７のゲージボード１３０Ｂと同様の機能が得られるように、複数の釘１０の配置が所定の配置であるか否かを、これら複数の釘１０のうちの主要な１又は複数の釘１０（本実施例では、複数の命釘１０ａ〜１０ｆ）が判るようにして確認可能に構成したものである。
【０１７８】
このゲージボード１３０Ｄにおいては、ゲージ本体１３１Ｄの前面又は後面に、複数の釘配置表示１３２Ｃのうち主要な複数の釘１０（命釘１０ａ〜１０ｆ）に対応する複数の主要な釘配置表示１３２Ｃａが、他の釘配置表示１３２Ｃと識別可能な目印１３６が印され（描かれ）ている。本実施例では、この目印１３６の具体例として、ゲージ本体１３１Ｄの前面又は後面には、主要な釘配置表示１３２Ｃａの十字線の交点を中心とする２重円が印されている。
【０１７９】
尚、目印１３６としては、上記の具体例に限定されるものではなく、種々の構成を採用可能である。例えば、図示省略するが、目印１３６として、ゲージ本体１３１Ｄの前面又は後面には、主要な釘配置表示１３２Ｃａの十字線の交点を中心とする２重円と共に、この釘配置表示１３２Ｃが主要な釘配置表示１３２Ｃａであることが判る文字「命釘」等の識別表記と、その識別表記の対象となる主要な釘視認孔１３２Ｃａを指す矢印が印されてもよい。
【０１８０】
尚、この目印１３６については、全ての命釘１０ａ〜１０ｆに対応する複数の主要な釘配置表示１３２Ｃａに付設する必要はなく、一部の１又は複数の命釘に対応する１又は複数の主要な釘配置表示１３２Ｃａにのみ付設してもよいし、命釘以外の種類の主要な釘１０（例えば、前記の天釘又は連釘等）に対応する釘視認孔に付設してもよい。目印１３６を２種類以上の主要な釘１０（例えば、命釘と連釘）に対応する複数の釘配置表示１３２Ｃに付設する場合、その種類を識別可能に異なる態様（例えば、１の種類に対しては１重円、他の１の種類に対しては２重円）の目印１３６を設けてもよい。
【実施例１０】
【０１８１】
図４５〜図４７、図５０に示すように、実施例１０のパチンコ遊技機１Ｅは、開閉扉３Ｅを閉じた状態でゲージボード１３０Ｅを確認位置（図４７に仮想線で示すゲージボード１３０Ｅの遊技盤４に対する所定位置）に配置可能なように、開閉扉３Ｅにゲージボード１３０Ｅを着脱可能に取り付ける取付手段１４０Ｅが設けられ、ゲージボード１３０Ｅが確認位置に配置されているか否かを判別可能な判別手段１５０が遊技盤４に設けられている。
【０１８２】
ここで、図４５、図４６に示すように、開閉扉３Ｅは、ガラス３ｂを着脱可能に取り付けるガラス取付手段３ｅを有する。ガラス３ｂは、その外形が窓３ａよりも少し大きく且つ窓３ａに応じた形状に形成され、ガラス取付手段３ｅは、このガラス３ｂを開閉扉３Ｅにその裏面側から着脱可能なものであり、開閉扉３Ｅの所定のガラス取付位置に嵌め合わせて（位置決めして）取り付け可能なものであり、ガラス３ｂの上部の左右両側部分、及び下部の左右両側部分を夫々固定解除可能に固定する４つの固定部３ｆを有する。
【０１８３】
各固定部３ｆは、開閉扉３Ｅの裏面部のうち窓３ａに比較的近い部分に設けられ、ガスラ３ｂの面と直交する軸心回りに回動可能な可動部３ｇを有する。開閉扉３Ｅが開けられた状態で、この可動部３ｇを操作して、固定位置（図４６（２））と解除位置（図４６（３））とに切り換え可能であり、４つの固定部３ｆの可動部３ｇを解除位置に切り換えた状態で、ガラス３ｂを開閉扉３Ｅに着脱可能になり、開閉扉３Ｅのガラス取付位置に嵌め合わせて、４つの固定部３ｆの可動部３ｇを固定位置に切り換えて、ガラス３ｂが開閉扉３Ｅに取り付けられた状態になる。
【０１８４】
図４５、図４８〜図５０に示すように、ゲージボード１３０Ｅは、遊技盤４に取り付けられた全ての複数の釘１０の配置が所定の配置であるか否かを確認可能なものであり、全ての複数の釘１０の前側に配置可能な不透明な本体部材であるボードからなるゲージ本体１３１Ｅと、ゲージ本体１３１Ｅに全ての複数の釘１０を視認可能に且つ全ての複数の釘１０の所定の配置に対応するように形成された（所定の配置を示す）複数の指標部である釘視認孔１３２Ｅとを備え、開閉扉３Ｅを閉じた状態で当該ゲージボード１３０Ｅを確認位置に配置可能なように、パチンコ遊技機１Ｅの取付手段１４０Ｅによって開閉扉３Ｅにゲージ本体１３１Ｅを着脱可能に取り付け可能に構成され、更に、当該ゲージボード１３０Ｅが確認位置に配置されているか否かを判別する為のゲージ側判別手段１３４Ｅを備えている。
【０１８５】
ゲージ本体１３１Ｅは、正面視にてガラス３ｂと同じサイズに形成され（図４５〜図４７に示すゲージボード１３０Ｅを参照）、当該ゲージボード１３０Ｅが確認位置に配置されているときに、その後側に全ての複数の釘１０を位置させ得る外形を有し、また、平滑な前面及び後面と、ガラス３ｂと同じ数mm（例えば、2 〜3mm ）程度の厚みを有し、開閉扉３Ｅに取り付けられた状態で撓み難いように形成されている。
【０１８６】
複数の釘視認孔１３２Ｅは、実施例５のゲージボード１３０の複数の釘視認孔１３２と同じ配置になるように、ゲージ本体１３１Ｅに形成されている。ゲージ側判別手段１３４Ｅは、パチンコ遊技機１Ｅの判別手段１５０と対応しており、正面視にて実施例５のゲージボード１３０のゲージ側判別手段１３４と同じ配置になるように、ゲージ本体１３１Ｅに形成され、基準開口１３４Ｅｂ、鉛直基準線１３４Ｅｃ、及び水平基準線１３４Ｅｄを含むゲージ側基準部１３４Ｅａを有する。
【０１８７】
つまり、ゲージボード１３０Ｅが確認位置に配置されているときに、ゲージ側基準部１３４Ｅａ（基準開口１３４Ｅｂ、鉛直基準線１３４Ｅｃ、水平基準線１３４Ｅｄ）がパチンコ遊技機１Ｅの判別手段１５０の盤側基準部１５１（円形基準線１５１ａ、鉛直基準線１５１ｂ、水平基準線１５１ｃ）と合致し、当該ゲージボード１３０が確認位置からズレて配置されているときには、ゲージ側基準部１３４Ｅａが盤側基準部１５１と合致しない。
【０１８８】
図４５、図４６、図５０に示すように、パチンコ遊技機１Ｅにおいて、取付手段１４０Ｅは、ガラス取付手段３ｅを利用して、開閉扉３Ｅからガラス３ｂが取り外された状態で、開閉扉３Ｅにガラス３ｂの代わりにゲージボード１３０Ｅを着脱可能に取り付けるものであり、即ち、ガラス取付手段３ｅは、ガラス３ｂが取り外された状態で、取付手段１４０Ｅとして兼用可能である。
【０１８９】
つまり、取付手段１４０Ｅは４つの固定部３ｆを有し、開閉扉３Ｅが開けられ、４つの固定部３ｆの可動部３ｇを解除位置（図４６（３））に切り換えて、ガラス３ｂが取り外された状態で、この取付手段１４０Ｅによって、ゲージボード１３０Ｅを開閉扉３Ｅにその裏面側から着脱可能になり、開閉扉３Ｅの所定のガラス取付位置に対応するボード取付位置に嵌め合わせ、４つの固定部３ｆの可動部３ｇを固定位置（図４６（１）（２）、図５０）に切り換えて、ゲージボード１３０Ｅのゲージ本体１３１Ｅの上部の左右両側部分、及び下部の左右両側部分を夫々４つの固定部３ｆに固定して、ゲージボード１３０Ｅを開閉扉３Ｅに取り付け可能になる。
【０１９０】
そして、開閉扉３Ｅに取り付けられたゲージボード１３０Ｅを確認位置に配置可能なように、開閉扉３Ｅが閉じられた状態で、ゲージボード１３０Ｅ（ゲージ本体１３１Ｅ）が遊技盤４と平行に配置され、ゲージ本体１３１Ｅの後面が、開閉扉３Ｅが閉じられ且つガラス３ｂが開閉扉３Ｅに取り付けられた状態におけるガラス３ｂの後面の位置と一致し、複数の釘１０の頭部１０ａがゲージ本体１３１Ｅの後面に僅かな隙間を空けて近接する。
【０１９１】
尚、図示省略するが、ゲージ本体１３１Ｅのうち固定部３ｆにより固定される部分以外の複数の釘視認孔１３２Ｅが形成される部分の厚みを多少厚くして、ゲージボード１３０Ｅが取り付けられた開閉扉３Ｅが閉じられた状態で、複数の釘１０の頭部１０ａの前端側一部が複数の釘視認孔１３２Ｅに遊嵌状に入り込むようにしてもよい。
【０１９２】
このパチンコ遊技機１Ｅでは、開閉扉３Ｅを開けて、ガラス３ｂを開閉扉３Ｅから取り外して、ゲージボード１３０Ｅを開閉扉３Ｅに取り付け安定させて、開閉扉３Ｅを閉めて、ゲージボード１３０Ｅが確認位置に配置されていることを確認して、このゲージボード１３０Ｅを用いて複数の釘１０の配置が所定の配置であるか否かを確認し証明することができ、また、釘１０の配置確認を終えると、ゲージボード１３０Ｅを開閉扉３Ｅから取り外し、ガスラ３ｂを開閉扉３Ｅに取り付けて、元の稼働させ得る状態のパチンコ遊技機１Ｅとすることができる。
【０１９３】
尚、ゲージボード１３０Ｅのゲージ本体１３１Ｅを、透明（又は半透明）の合成樹脂製（又はガラス製）のボードに構成し、この透明（又は半透明）のゲージ本体１３１Ｅに複数の釘視認孔１３２Ｅを形成してもよい。この場合、ゲージ側判別手段１３４Ｅにおいて、ゲージ本体１３１Ｅに、基準開口１３４Ｅｂが形成されずに、判別手段１５０と同様に、基準開口１３４Ｅｂに代わる円形基準線が形成され、また、鉛直基準線１３４Ｅｃ及び水平基準線１３４Ｅｄが、この円形基準線の中心で交差する十字状に形成されてもよい。
【０１９４】
また、図示省略するが、実施例７のような目印１３５がゲージ本体１３１Ｅの前面に形成されてもよい。また、ゲージ本体１３１Ｅを透明（又は半透明）にして複数の釘視認孔１３２Ｅを省略し、その代わりに、このゲージ本体１３１Ｅの前面又は後面に実施例８のような複数の釘配置表示１３２Ｃが形成されてもよい。この場合、ゲージ本体１３１Ｅの前面又は後面に実施例９のような目印１３６が形成されてもよい。
【０１９５】
ここで、実施例５と同様に、本遊技機１では、判別手段１５０が、本ゲージボード１３０Ｅが用いられているか否かを判別可能なものでもあり、本ゲージボード１３０Ｅでは、ゲージ側判別手段１３４Ｅが、本ゲージボード１３０Ｅが用いられているか否かを判別する為のものでもあり、依って、本ゲージボード１３０Ｅが用いられているか否かの判別を簡単に確実に行うことが可能になる。実施例５の変形例のように、本ゲージボード１３０Ｅが用いられているか否かを判別可能な使用判別手段を別途設け、本ゲージボード１３０Ｅが用いられているか否かを判別する為のゲージ側使用判別手段を別途設けてもよい。
【実施例１１】
【０１９６】
図５１、図５２に示すように、実施例１１のゲージボード１３０Ｆは、全ての複数の釘１０の配置ではなく、そのうちの一部の複数の釘１０の配置が所定の配置であるか否かを確認可能に構成したものである。本実施例における一部の複数の釘１０とは、センタ役物２０の下側にある複数の釘１０である。
【０１９７】
ゲージボード１３０Ｆは、ゲージ本体１３１Ｆ、複数の釘視認孔１３２Ｅ、ゲージ側判別手段１３４Ｅを備え、開閉扉３Ｆを閉じた状態で当該ゲージボード１３０Ｆを確認位置に配置可能なように、パチンコ遊技機１Ｆの取付手段１４０Ｆによって開閉扉３Ｆにゲージ本体１３１Ｆを着脱可能に取り付け可能に構成され、ゲージ本体１３１Ｆは、実施例１０のゲージ本体１３１Ｅの下側部分に相当するもの（サイズ）に形成され、このゲージ本体１３１Ｆに、複数の釘視認孔１３２Ｅが一部の複数の釘１０の所定の配置に対応するように形成されている。
【０１９８】
図５２に示すように、実施例１１のパチンコ遊技機１Ｆにおいて、取付手段１４０Ｆは、ガラス取付手段３ｅ（その一部）を利用して、開閉扉３Ｆからガラス３ｂが取り外された状態で、開閉扉３Ｆにガラス３ｂの代わりにゲージボード１３０Ｆを着脱可能に取り付けるものであり、即ち、ガラス取付手段３ｅは、ガラス３ｂが取り外された状態で、取付手段１４０Ｆとして兼用可能である。
【０１９９】
この取付手段１４０Ｆは、ガラス取付手段３ｅの４つの固定部３ｆのうちの下側２つの固定部３ｆと、ガラス取付手段３ｅに含まれない固定部３Ｆｆとを有する。その２つの固定部３Ｆｆは、夫々、他の固定部３ｆと同様に、開閉扉３Ｆの裏面部のうち窓３ａに比較的近い部分に設けられ、ガスラ３ｂの面と直交する軸心回りに回動可能な可動部３Ｆｇを有し、開閉扉３Ｆが開けられた状態で、この可動部３Ｆｇを操作して、固定位置と解除位置とに切り換え可能である。
【０２００】
開閉扉３Ｆにガラス３ｂを着脱する際、２つの固定部３Ｆｆの可動部３Ｆｇが、ガラス取付手段３ｅの４つの固定部３ｆの可動部３ｇと同様に、解除位置に切り換えられて、ガラス３ｂと干渉しないようになる。ガラス３ｂを開閉扉３Ｆのガラス取付位置に嵌め合わせて、４つの固定部３ｆの可動部３ｇを固定位置に切り換えて、ガラス３ｂが開閉扉３Ｆに取り付けられるが、このとき、２つの固定部３Ｆｆの可動部３Ｆｇを固定位置に切り換えることは必須ではないが、切り換えることで、２つの固定部３Ｆｇは、ガラス３ｂの取り付けにも寄与するものになる。
【０２０１】
ゲージボード１３０Ｆの着脱、及び取り付けについては、開閉扉３Ｆが開けられ、４つの固定部３ｆの可動部３ｇと２つの固定部３Ｆｆの可動部３Ｆｇとを解除位置に切り換えて、ガラス３ｂが取り外された状態で、この取付手段１４０Ｆによって、ゲージボード１３０Ｆを開閉扉３Ｆにその裏面側から着脱可能になり、開閉扉３Ｆの所定のボード取付位置に嵌め合わせ、下側２つの固定部３ｆの可動部３ｇと２つの固定部３Ｆｆの可動部３Ｆｇとを固定位置に切り換えて、ゲージボード１３０Ｆのゲージ本体１３１Ｆの下部の左右両側部分、及び上部の左右両側部分を夫々下側２つの固定部３ｆ、及び２つの固定部３Ｆｆに固定して、ゲージボード１３０Ｆを開閉扉３Ｆに取り付け可能になる。
【０２０２】
そして、開閉扉３Ｆに取り付けられたゲージボード１３０Ｆを確認位置に配置可能なように、開閉扉３Ｆが閉じられた状態で、ゲージボード１３０Ｆ（ゲージ本体１３１Ｆ）が遊技盤４と平行に配置され、ゲージ本体１３１Ｆの後面が、開閉扉３Ｆが閉じられ且つガラス３ｂが開閉扉３Ｆに取り付けられた状態におけるガラス３ｂの後面の位置と一致し、一部の複数の釘１０の頭部１０ａがゲージ本体１３１Ｆの後面に僅かな隙間を空けて近接する。
【０２０３】
尚、パチンコ遊技機１Ｆの開閉扉３Ｆに対して、ゲージボード１３０Ｆだけでなく、ゲージボード１３０Ｆの代わりに実施例１０のゲージボード１３０Ｅも取り付け可能であるので、ゲージボード１３０Ｅを用いて全ての複数の釘１０の配置が所定の配置であるか否かを確認することも、ゲージボード１３０Ｆを用いて一部の複数の釘１０の配置が所定の配置であるか否かを確認することもでき、要するに必要に応じてゲージボード１３０Ｅ，１３０Ｆを使い分け可能になる。
【０２０４】
尚、ゲージボード１３０Ｆにおいて、ゲージ本体１３１Ｆが、実施例１０のゲージ本体１３１Ｅと略同じサイズになるように大型に形成され、そのゲージ本体１３１Ｆに、全ての複数の釘１０に対応する複数の釘視認孔１３２Ｅではなく、一部の複数の釘１０に対応する複数の釘視認孔１３２Ｅだけが形成されてもよい。そうすると、取付手段１４０Ｆ（２つの固定部３Ｆｆ）を別途設ける必要がなくなり、実施例１０の取付手段１４０Ｅ（ガラス取付手段３ｅだけ）を利用して、ゲージ本体１３１Ｆを開閉扉３Ｅに取り付け可能になる。
【０２０５】
尚、ゲージボード１３０Ｆ（ゲージ本体１３１Ｆ、複数の釘視認孔１３２Ｅ、ゲージ側確認手段１３４Ｅ）、及びパチンコ遊技機１Ｆの取付手段１４０Ｆ、確認手段１５０については、センタ役物２０の下側にある一部の複数の釘１０とは異なる一部の複数の釘１０が所定の配置であるか否かを確認可能に構成可能である。
【０２０６】
尚、その他の変形例として、実施例５〜９において、ゲージ側取付手段１３３，１３３Ａ、取付手段１４０，１４０Ａは、ゲージボード１３０，１３０Ａ〜１３０Ｄ側に設けられた複数のボード支持部１３３ａ，１３３Ａａと、これら複数のボード支持部１３３ａ，１３３Ａａが挿入可能に遊技盤４側に設けられた複数の取付孔１４１，１４１Ａを有するが、逆に、遊技盤４側に設けられた複数のボード支持部と、これら複数のボード支持部が挿入可能にゲージボード１３０，１３０Ａ〜１３０Ｄ側に設けられた複数の取付孔を有するものにしてもよい。
【０２０７】
それ以外に、ゲージボード１３０，１３０Ａ〜１３０Ｄを、確認配置に配置可能なように、遊技盤４に対して着脱可能に取り付け得る種々の構成を採用可能であるし、遊技機構造体の遊技盤４やセンタ役物２０以外のも（開閉枠２や開閉扉３等）に着脱可能に取り付けるようにしてもよい。
【０２０８】
実施例５〜１１において、ゲージ側判別手段１３４，１３４Ｃ，１３４Ｅ、判別手段１５０において、前記のゲージ側基準部１３４，１３４Ｃａ，１３４Ｅａ、盤側基準部１５１以外に種々ゲージ側基準部、盤側基準部を設けてもよい。例えば、ゲージボード１３０，１３０Ａ〜１３０Ｆのゲージ本体１３１，１３１Ａ〜１３１Ｆの２つ端縁（例えば、左端縁、下端縁）を利用して、これらをゲージ側基準部とし、遊技盤４側に、ゲージボード１３０，１３０Ａ〜１３０Ｆが確認位置のときに、前記のゲージ側基準部（左端縁、下端縁）と合致する盤側基準部（例えば、水平線、鉛直線）を設けてもよい。尚、盤側基準部１５１を、遊技盤ではなくて遊技盤４に取り付けられた各種部材や装置（センタ役物２０等）に設けてもよい。
【０２０９】
実施例５〜９において、ゲージ側取付手段１３３，１３３Ａ、取付手段１４０，１４０Ａにより、ゲージボード１３０，１３０Ａ〜１３０Ｄが遊技盤４に取り付けられた状態で、ゲージボード１３０，１３０Ａ〜１３０Ｄが確認位置に配置されるように遊技盤４に対して位置決めされていることになる故、また、実施例１０，１１において、取付手段１４０Ｅ，１４０Ｆにより、ゲージボード１３０Ｅ，１３０Ｆが開閉扉３Ｅ，３Ｆに取り付けられ、その開閉扉３Ｅ，３Ｆが閉じられたた状態で、ゲージボード１３０Ｅ，１３０Ｆが確認位置に配置されるように遊技盤４に対して位置決めされていることになる故、ゲージ側判別手段１３４，１３４Ｃ，１３４Ｅを省略して、ゲージ側取付手段１３３，１３３Ａをゲージ側判別手段として兼用し、判別手段１５０を省略して、取付手段１４０，１４０Ａ，１４０Ｅ，１４０Ｆを判別手段として兼用してもよい。
【０２１０】
実施例１０，１１において、取付手段１４０Ｅ，１４０Ｆを利用せずに、開閉扉３Ｅ，３Ｆを閉じた状態でゲージボード１３０Ｅ，１３０Ｆを確認位置に配置可能なように、開閉扉３Ｅ，３Ｆにゲージボード１３０Ｅ，１３０Ｆを着脱可能に取り付ける取付手段（例えば、既存のクランプ機構等を利用したもの）を設けてもよい。
【０２１１】
この場合、ゲージボードのゲージ本体を、その外形と厚みがガラス３ｂに必ずしも対応するものとしないで構成することができ、また、開閉扉３Ｅ，３Ｆからガラス３ｂを取り外すことなく、つまり開閉扉３Ｅ，３Ｆにガラス３ｂを取り付けたままゲージボードを取り付け（この場合、ゲージ本体の厚みを薄くして、或いはシート状にしてガラス３ｂに近接又は接触状に取り付け可能にしてもよい）、その開閉扉３Ｅ，３Ｆを閉じて、ゲージボードを確認位置に配置可能に構成することができる。
【０２１２】
例えば、実施例５〜９において、本遊技機１（１Ａ）が、図３０又は図３１又は図３３に示す複数のゲージボード１３０（１３０Ａ〜１３０Ｄ），１３０-M，１３０-Nのうち本ゲージボード１３０（１３０Ａ〜１３０Ｄ）を用いて、複数の釘１０の配置が所定の配置であるか否かを確認可能にしたことを前提に、その取付手段１４０（１４０Ａ）により、本ゲージボード１３０を取り付け可能であるが、別ゲージボード１３０-M，１３０-Nを取り付け不可能にしてもよい。
【０２１３】
そうすると、本遊技機１に取り付けられたゲージボードが、本ゲージボード１３０（１３０Ａ〜１３０Ｄ）であると判別でき、一方、本遊技機１に取り付けられないゲージボードが、本ゲージボード１３０（１３０Ａ〜１３０Ｄ）でない、つまり別ゲージボード１３０-M又は１３０-Nであると判別できる。つまり、取付手段１４０（１４０Ａ）が、本ゲージボード１３０（１３０Ａ〜１３０Ｄ）が用いられているか否かを判別可能な判別手段に相当するものになり、この場合、判別手段１５０については、ゲージボード１３０（１３０Ａ〜１３０Ｄ）が確認位置に配置されているか否かを判別可能な機能のみを有するものにすることができ、また、実施例５の変形例のような使用判別手段やゲージ側使用判別手段を不要にすることができる。
【０２１４】
その他、本発明の趣旨を逸脱しない範囲において、前記開示事項以外の種々の構成を付加して実施可能である。例えば、実施例１〜４のうち少なくとも２つの実施例を部分的に組み合わせて、本発明とすることも可能である。例えば、ゲージボードを用いて、釘以外の誘導手段（例えば、所謂風車やブロック状の誘導部等）の配置が所定の配置か否かを確認可能なものにしてもよい。また、実施例５〜１１や、その変形例の構成を部分的に組み合わせたパチンコ遊技機、或いはゲージボードとすることができる。
【符号の説明】
【０２１５】
１，１-M，１-N，１Ａ，１Ｅ  遊技機
４  遊技盤
１０  釘（誘導手段）
２５  遊技盤構造体
３０，３０Ａ，４０，４０Ａ  封印部材（封印手段）
３１Ａ  封印シート（透明シート）
３３  表示
３５，４５，４５Ａ  取付手段
１３０，１３０-M，１３０-N，１３０Ａ〜１３０Ｆ  ゲージボード（配置確認手段）
１３２，１３２Ｅ  釘視認孔（指標部）
１３２Ｃ  釘配置表示（指標部）
１３４ａ，１３４Ｃａ，１３４Ｅａ  ゲージ側基準部（第１の基準部）
１４０，１４０Ａ，１４０Ｅ，１４０Ｆ  取付手段
１５０  判別手段
１５１  盤側基準部（第２の基準部）
【図１】
2018000532.tif 000003
【図２】
2018000532.tif 000004
【図３】
2018000532.tif 000005
【図４】
2018000532.tif 000006
【図５】
2018000532.tif 000007
【図６】
2018000532.tif 000008
【図７】
2018000532.tif 000009
【図８】
2018000532.tif 000010
【図９】
2018000532.tif 000011
【図１０】
2018000532.tif 000012
【図１１】
2018000532.tif 000013
【図１２】
2018000532.tif 000014
【図１３】
2018000532.tif 000015
【図１４】
2018000532.tif 000016
【図１５】
2018000532.tif 000017
【図１６】
2018000532.tif 000018
【図１７】
2018000532.tif 000019
【図１８】
2018000532.tif 000020
【図１９】
2018000532.tif 000021
【図２０】
2018000532.tif 000022
【図２１】
2018000532.tif 000023
【図２２】
2018000532.tif 000024
【図２３】
2018000532.tif 000025
【図２４】
2018000532.tif 000026
【図２５】
2018000532.tif 000027
【図２６】
2018000532.tif 000028
【図２７】
2018000532.tif 000029
【図２８】
2018000532.tif 000030
【図２９】
2018000532.tif 000031
【図３０】
2018000532.tif 000032
【図３１】
2018000532.tif 000033
【図３２】
2018000532.tif 000034
【図３３】
2018000532.tif 000035
【図３４】
2018000532.tif 000036
【図３５】
2018000532.tif 000037
【図３６】
2018000532.tif 000038
【図３７】
2018000532.tif 000039
【図３８】
2018000532.tif 000040
【図３９】
2018000532.tif 000041
【図４０】
2018000532.tif 000042
【図４１】
2018000532.tif 000043
【図４２】
2018000532.tif 000044
【図４３】
2018000532.tif 000045
【図４４】
2018000532.tif 000046
【図４５】
2018000532.tif 000047
【図４６】
2018000532.tif 000048
【図４７】
2018000532.tif 000049
【図４８】
2018000532.tif 000050
【図４９】
2018000532.tif 000051
【図５０】
2018000532.tif 000052
【図５１】
2018000532.tif 000053
【図５２】
2018000532.tif 000054
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
遊技機の遊技盤に取り付けられた複数の誘導手段の配置が所定の配置であるか否かを確認可能な遊技機用配置確認手段であって、
前記複数の誘導手段の前側に配置可能な本体部材と、
前記本体部材に、前記複数の誘導手段を視認可能に且つ前記所定の配置に対応するように設けられた複数の指標部と、
前記遊技機用配置確認手段が所定の遊技機に用いられているか、前記所定の遊技機と前記誘導手段の所定の配置が異なる他の遊技機に用いられているかを判別可能な判別手段とを備え、
前記判別手段は、前記所定の遊技機に固有であり前記複数の誘導手段を示すものとは異なる第１の表示であって、前記所定の遊技機に設けられた第２の表示と合致する第１の表示を有することを特徴とする遊技機用配置確認手段。
【手続補正２】
【補正対象書類名】明細書
【補正対象項目名】０００７
【補正方法】変更
【補正の内容】
【０００７】
第１の発明（遊技機用配置確認手段(130) ）は、遊技機(1) の遊技盤(4) に取り付けられた複数の誘導手段(10)の配置が所定の配置であるか否かを確認可能な遊技機用配置確認手段(130) であって、前記複数の誘導手段(10)の前側に配置可能な本体部材(131) と、前記本体部材(131) に、前記複数の誘導手段(10)を視認可能に且つ前記所定の配置に対応するように設けられた複数の指標部(132) と、前記遊技機用配置確認手段(130) が所定の遊技機(1) に用いられているか、前記所定の遊技機(1) と前記誘導手段(10)の所定の配置が異なる他の遊技機(1-M/1-N) に用いられているかを判別可能な判別手段(134) とを備え、前記判別手段(134) は、前記所定の遊技機(1) に固有であり前記複数の誘導手段(10)を示すものとは異なる第１の表示(134a)であって、前記所定の遊技機(1) に設けられた第２の表示(151) と合致する第１の表示(134a)を有することを特徴とする。